(57)【特許請求の範囲】
【請求項１】
ネットワークは、少なくとも物理ダウンリンク制御チャネルに対応するカバレッジ・エンハンスメント・レベルに基づき、前記物理ダウンリンク制御チャネルの周波数領域リソースを確定するステップと、
前記ネットワーク側は、前記物理ダウンリンク制御チャネルの周波数領域リソースにおいて、前記物理ダウンリンク制御チャネルを送信するステップとを備え、
異なるカバレッジ・エンハンスメント・レベルを有する物理ダウンリンク制御チャネルの周波数領域リソースは、独立に設定され、
前記物理ダウンリンク制御チャネルの周波数領域リソースは、前記物理ダウンリンク制御チャネル伝送が行われる狭帯域情報を含み、
前記物理ダウンリンク制御チャネルは、ランダムアクセス応答の搬送のための物理ダウンリンク共有チャネルをスケジューリングすることに用いられ、
前記カバレッジ・エンハンスメント・レベルに対応する物理ランダムアクセスチャネル（ＰＲＡＣＨ）が同一のサブフレームにおいて複数の利用可能周波数領域リソースを有すれば、前記ネットワーク側は、前記ＰＲＡＣＨ伝送に用いられる周波数領域リソースに基づき、前記物理ダウンリンク制御チャネルの周波数領域リソースを確定し、
前記ＰＲＡＣＨの、同一のサブフレームにおける異なるＰＲＡＣＨ周波数領域リソースに対応する物理ダウンリンク制御チャネルの周波数領域リソースは、独立に設定され、
前記ネットワーク側が前記物理ダウンリンク制御チャネルの周波数領域リソースを確定する前、前記方法は、
それぞれのカバレッジ・エンハンスメント・レベルに対し、前記ネットワーク側は、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知するステップをさらに備えることを特徴とするランダムアクセス応答の伝送方法。
【請求項２】
前記ネットワークが、少なくとも物理ダウンリンク制御チャネルに対応するカバレッジ・エンハンスメント・レベルに基づき、前記物理ダウンリンク制御チャネルの周波数領域リソースを確定する前、前記方法は、
前記ネットワーク側は、異なるカバレッジ・エンハンスメント・レベルを有する物理ダウンリンク制御チャネルの周波数領域リソースをそれぞれに確定し、異なるカバレッジ・エンハンスメント・レベルを有する物理ダウンリンク制御チャネルの周波数領域リソースを端末に独立に通知することを特徴とする請求項１に記載のランダムアクセス応答の伝送方法。
【請求項３】
システム情報により、前記物理ダウンリンク制御チャネルの周波数領域リソースを端末に独立に通知することを特徴とする請求項２に記載のランダムアクセス応答の伝送方法。
【請求項４】
前記カバレッジ・エンハンスメント・レベルは、カバレッジエンハンスメントｄＢ数及び/または重複伝送回数を示し、
前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含むことを特徴とする請求項１または請求項２に記載のランダムアクセス応答の伝送方法。
【請求項５】
前記ネットワーク側は、前記物理ダウンリンク制御チャネルの周波数領域リソースにおいて、前記物理ダウンリンク制御チャネルを送信するステップは、以下の手法１及び手法２のうちの少なくとも１つにより実行され、
手法１
前記ネットワーク側は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信し、
手法２
前記物理ダウンリンク制御チャネルは、コモンサーチスペースにおいて伝送され、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングすることを特徴とする請求項１または請求項２に記載のランダムアクセス応答の伝送方法。
【請求項６】
端末が、少なくとも物理ダウンリンク制御チャネルに対応するカバレッジ・エンハンスメント・レベルに基づき、前記物理ダウンリンク制御チャネルの周波数領域リソースを確定するステップと、
前記端末は、前記物理ダウンリンク制御チャネルの周波数領域リソースにおいて、前記物理ダウンリンク制御チャネルを受信するステップとを備え、
前記異なるカバレッジ・エンハンスメント・レベルを有する物理ダウンリンク制御チャネルの周波数領域リソースは、独立に設定され、
前記物理ダウンリンク制御チャネルの周波数領域リソースは、前記物理ダウンリンク制御チャネル伝送が行われる狭帯域情報を含み、
前記物理ダウンリンク制御チャネルは、ランダムアクセス応答の搬送のための物理ダウンリンク共有チャネルをスケジューリングすることに用いられ、
前記カバレッジ・エンハンスメント・レベルに対応するＰＲＡＣＨが、同一のサブフレームにおいて複数の利用可能周波数領域リソースを有すれば、前記端末は、前記端末のＰＲＡＣＨ伝送に用いられる周波数領域リソースに基づき、前記物理ダウンリンク制御チャネルの周波数領域リソースを確定し、
前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定され、
前記端末が前記端末のＰＲＡＣＨ伝送に用いられる周波数領域リソースに基づき、前記物理ダウンリンク制御チャネルの周波数領域リソースを確定する前、
カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得するステップをさらに備えることを特徴とするランダムアクセス応答の伝送方法。
【請求項７】
前記端末は、少なくとも物理ダウンリンク制御チャネルに対応するカバレッジ・エンハンスメント・レベルに基づき、前記物理ダウンリンク制御チャネルの周波数領域リソースを確定する前、
異なるカバレッジ・エンハンスメント・レベルを有する物理ダウンリンク制御チャネルの周波数領域リソースを独立に示す設定情報を取得し、前記設定情報に基づき、異なるカバレッジ・エンハンスメント・レベルを有する物理ダウンリンク制御チャネルの周波数領域リソースを取得することを特徴とする請求項６に記載のランダムアクセス応答の伝送方法。
【請求項８】
システム情報により、前記物理ダウンリンク制御チャネルの周波数領域リソースを示す設定情報を取得することを特徴とする請求項６または請求項７に記載のランダムアクセス応答の伝送方法。
【請求項９】
前記カバレッジ・エンハンスメント・レベルは、カバレッジエンハンスメントｄＢ数及び/または重複伝送回数を示し、
前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含むことを特徴とする請求項６または請求項７に記載のランダムアクセス応答の伝送方法。
【請求項１０】
前記端末は、前記物理ダウンリンク制御チャネルの周波数領域リソースにおいて、前記物理ダウンリンク制御チャネルを受信するステップは、以下の手法１及び手法２のうちの少なくとも１により実行され、
手法１
前記端末は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信し、
手法２
前記物理ダウンリンク制御チャネルは、コモンサーチスペースにおいて伝送され、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされることを特徴とする請求項６または請求項７に記載のランダムアクセス応答の伝送方法。
【請求項１１】
少なくとも物理ダウンリンク制御チャネルに対応するカバレッジ・エンハンスメント・レベルに基づいて、前記物理ダウンリンク制御チャネルの周波数領域リソースを確定する周波数領域リソース確定ユニットと、
前記物理ダウンリンク制御チャネルの周波数領域リソースにおいて、前記物理ダウンリンク制御チャネルを送信する送信ユニットとを備え、
前記異なるカバレッジ・エンハンスメント・レベルを有する物理ダウンリンク制御チャネルの周波数領域リソースは、独立に設定され、
前記物理ダウンリンク制御チャネルの周波数領域リソースは、前記物理ダウンリンク制御チャネル伝送が行われる狭帯域情報を含み、
前記物理ダウンリンク制御チャネルは、ランダムアクセス応答の搬送のための物理ダウンリンク共有チャネルをスケジューリングすることに用いられ、
前記カバレッジ・エンハンスメント・レベルに対応する物理ランダムアクセスチャネル（ＰＲＡＣＨ）が同一のサブフレームにおいて複数の利用可能周波数領域リソースを有すれば、前記周波数領域リソース確定ユニットは、前記ＰＲＡＣＨ伝送に用いられる周波数領域リソースに基づき、前記物理ダウンリンク制御チャネルの周波数領域リソースを確定し、
前記ＰＲＡＣＨの、同一のサブフレームにおける異なるＰＲＡＣＨ周波数領域リソースに対応する物理ダウンリンク制御チャネルの周波数領域リソースは、独立に設定され、
前記周波数領域リソース確定ユニットは、前記物理ダウンリンク制御チャネルの周波数領域リソースを確定する前、
それぞれのカバレッジ・エンハンスメント・レベルに対し、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知することを特徴とするランダムアクセス応答の伝送装置。
【請求項１２】
前記周波数領域リソース確定ユニットは、少なくとも物理ダウンリンク制御チャネルに対応するカバレッジ・エンハンスメント・レベルに基づいて、前記物理ダウンリンク制御チャネルの周波数領域リソースを確定する前、
異なるカバレッジ・エンハンスメント・レベルを有する物理ダウンリンク制御チャネルの周波数領域リソースそれぞれを確定し、異なるカバレッジ・エンハンスメント・レベルを有する物理ダウンリンク制御チャネルの周波数領域リソースを端末に独立に通知することを特徴とする請求項１１に記載のランダムアクセス応答の伝送装置。
【請求項１３】
前記周波数領域リソース確定ユニットは、システム情報により、前記物理ダウンリンク制御チャネルの周波数領域リソースを端末に独立に通知することを特徴とする請求項１１または請求項１２に記載のランダムアクセス応答の伝送装置。
【請求項１４】
前記カバレッジ・エンハンスメント・レベルは、カバレッジエンハンスメントｄＢ数及び/または重複伝送回数を示し、
前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含むことを特徴とする請求項１１または請求項１２に記載のランダムアクセス応答の伝送装置。
【請求項１５】
前記送信ユニットは、以下の手法１及び手法２のうちの少なく１つにより、前記物理ダウンリンク制御チャネルを送信し、
手法１
前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信し、
手法２
前記送信ユニットは、コモンサーチスペースにおいて、前記物理ダウンリンク制御チャネルを伝送し、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングすることを特徴とする請求項１１または請求項１２に記載のランダムアクセス応答の伝送装置。
【請求項１６】
少なくとも物理ダウンリンク制御チャネルに対応するカバレッジ・エンハンスメント・レベルに基づいて、前記物理ダウンリンク制御チャネルの周波数領域リソースを確定する周波数領域リソース確定ユニットと、
前記物理ダウンリンク制御チャネルの周波数領域リソースにおいて前記物理ダウンリンク制御チャネルを受信する受信ユニットとを備え、
前記異なるカバレッジ・エンハンスメント・レベルを有する物理ダウンリンク制御チャネルの周波数領域リソースは、独立に設定され、
前記物理ダウンリンク制御チャネルの周波数領域リソースは、前記物理ダウンリンク制御チャネル伝送が行われる狭帯域情報を含み、
前記物理ダウンリンク制御チャネルは、ランダムアクセス応答の搬送のための物理ダウンリンク共有チャネルをスケジューリングすることに用いられ、
前記カバレッジ・エンハンスメント・レベルに対応するＰＲＡＣＨが、同一のサブフレームにおいて複数の利用可能周波数領域リソースを有すれば、前記周波数領域リソース確定ユニットは、端末のＰＲＡＣＨ伝送に用いられる周波数領域リソースに基づき、前記物理ダウンリンク制御チャネルの周波数領域リソースを確定し、
前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定され、
前記周波数領域リソース確定ユニットが、前記端末のＰＲＡＣＨ伝送に用いられる周波数領域リソースに基づき、前記物理ダウンリンク制御チャネルの周波数領域リソースを確定する前、前記周波数領域リソース確定ユニットは、
カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得することを特徴とするランダムアクセス応答の伝送装置。
【請求項１７】
前記周波数領域リソース確定ユニットは、少なくとも物理ダウンリンク制御チャネルに対応するカバレッジ・エンハンスメント・レベルに基づいて、前記物理ダウンリンク制御チャネルの周波数領域リソースを確定する前、
異なるカバレッジ・エンハンスメント・レベルを有する物理ダウンリンク制御チャネルの周波数領域リソースを独立に示す設定情報を取得し、前記設定情報に基づき、異なるカバレッジ・エンハンスメント・レベルを有する物理ダウンリンク制御チャネルの周波数領域リソースを取得することを特徴とする請求項１６に記載のランダムアクセス応答の伝送装置。
【請求項１８】
システム情報により、前記物理ダウンリンク制御チャネルの周波数領域リソースを示す設定情報を取得することを特徴とする請求項１６または請求項１７に記載のランダムアクセス応答の伝送装置。
【請求項１９】
前記カバレッジ・エンハンスメント・レベルは、カバレッジエンハンスメントｄＢ数及び/または重複伝送回数を示し、
前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含むことを特徴とする請求項１６または請求項１７に記載のランダムアクセス応答の伝送装置。
【請求項２０】
前記受信ユニットは、以下の手法１及び手法２のうちの少なくとも１つにより前記物理ダウンリンク制御チャネルを受信し、
手法１
前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信し、
手法２
前記物理ダウンリンク制御チャネルは、コモンサーチスペースにおいて伝送され、かつ、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされることを特徴とする請求項１６または請求項１７に記載のランダムアクセス応答の伝送装置。
【発明の詳細な説明】
【技術分野】
【０００１】
本発明は通信技術分野に関し、特に、ランダムアクセス応答の伝送方法及び装置に関する。
【背景技術】
【０００２】
競合基盤のランダムアクセスとは、ｅＮＢ（ｅＮｏｄｅＢ）がＵＥ（Ｕｓｅｒ Ｅｑｕｉｐｍｅｎｔ、ユーザー装置とも称する）のため専用リソースを割り当てず、端末により、ランダムアクセス・プロシージャをランダムに開始させる。競合ランダムアクセスは、５つのシナリオのいずれにも適用する。ＲＲＣ（Ｒａｄｉｏ Ｒｅｓｏｕｒｃｅ Ｃｏｎｔｒｏｌ）接続確立、ＲＲＣ接続再確立及びアップリンク・データ到着のシナリオにおいて、ランダムアクセスは、完全に端末自発行為であり、ｅＮＢは何の先験的情報も発送しない。また、ハンドオーバー及びダウンリンク・データ到着のシナリオにおいて、端末は、ｅＮＢからの指示によりランダムアクセスを介する。一般的に、ｅＮＢは、非競合ランダムアクセスを優先的に選択するが、非競合ランダムアクセスリソースが割り当てに足りない場合のみ、端末が競合ランダムアクセスを指示する。競合ランダムアクセス・プロシージャは、４ステップに分けて完成し、図１に示すように、ステップごとに１つのＭｅｓｓａｇｅ（メッセージ）とし、かかわる標準には、このような４ステップをＭｓｇ１〜Ｍｓｇ４と称する。
【０００３】
（１）Ｍｓｇ１：プリアンブル（ｐｒｅａｍｂｌｅ）シーケンス。
【０００４】
当該メッセージはアップリンクメッセージであり、端末により送信され、ｅＮＢが受信し、ＰＲＡＣＨ（Ｐｈｙｓｉｃａｌ Ｒａｎｄｏｍ Ａｃｃｅｓｓ Ｃｈａｎｎｅｌ，物理ランダムアクセスチャネル）により送信される。競合ランダムアクセスの場合、端末により送信されたｐｒｅａｍｂｌｅシーケンスは、特定ｐｒｅａｍｂｌｅ集合からランダムに選出された１つであり、異なるｐｒｅａｍｂｌｅシーケンスが異なる識別子情報、即ち、ｐｒｅａｍｂｌｅ ｉｎｄｅｘ（インデックス）を有する。
【０００５】
Ｍｓｇ２：ＲＡＲ（Ｒａｎｄｏｍ Ａｃｃｅｓｓ Ｒｅｓｐｏｎｓｅ，ランダムアクセス応答）。
【０００６】
当該メッセージはダウンリンクメッセージであり、ｅＮＢにより送信され、端末により受信される。
【０００７】
Ｍｓｇ２は、ｅＮＢがＭｓｇ１を受信した後端末に対して行ったランダムアクセスへの応答であり、ランダムアクセス応答ウィンドウにおいて送信される必要がある。ランダムアクセス応答ウィンドウの始点は、サブフレームｎ+３からの第１個の利用可能ダウンリンクサブフレームであり、ｎはｐｒｅａｍｂｌｅの送信に用いられる最後の１つのサブフレーム番号であり、当該ランダムアクセス応答ウィンドウの長さは２〜１０ｍｓであり、具体の長さは、ｅＮＢがシステムメッセージにおいて指摘される。
【０００８】
Ｍｓｇ２は、ＭＡＣ（Ｍｅｄｉａ Ａｃｃｅｓｓ Ｃｏｎｔｒｏｌ）層において定義されたＤＬ−ＳＣＨ（Ｄｏｗｎｌｉｎｋ Ｓｈａｒｅｄ Ｃｈａｎｎｅｌ，ダウンリンク共有チャネル）により搬送され、物理層においてＰＤＳＣＨ（Ｐｈｙｓｉｃａｌ Ｄｏｗｎｌｉｎｋ Ｓｈａｒｅｄ Ｃｈａｎｎｅl，物理ダウンリンク共有チャネル）と対応する。１つのＭｓｇ２は、複数の端末からのランダムアクセス・リクエストを応答することができ、即ち、複数の端末のＲＡＲを含むことができる。よって、Ｍｓｇ２の場合、ＨＡＲＱ（Ｈｙｂｒｉｄ Ａｕｔｏｍａｔｉｃ Ｒｅｐｅａｔ ｒｅＱｕｅｓｔ）プロシージャが存在せず、即ち、フィードバック・再伝送プロシージャがない。
【０００９】
ｅＮＢは、コモンサーチスペースにおいて伝送するＲＡ−ＲＮＴＩ（Ｒａｎｄｏｍ Ａｃｃｅｓｓ Ｒａｄｉｏ Ｎｅｔｗｏｒｋ Ｔｅｍｐｏｒａｒｙ Ｉｄｅｎｔｉｆｉｅｒ，ランダムアクセス無線ネットワーク臨時識別子）によりスクランブリングされたＰＤＣＣＨ（Ｐｈｙｓｉｃａｌ Ｄｏｗｎｌｉｎｋ Ｃｏｎｔｒｏｌ Ｃｈａｎｎｅｌ，物理ダウンリンク制御チャネル）により、Ｍｓｇ２をスケジューリングし、ＲＡ−ＲＮＴＩはＭｓｇ１を送信するＰＲＡＣＨ時間・周波数リソース位置によって決める。同様なＰＲＡＣＨ時間・周波数リソースを利用する端末により決算して同様なＲＡ−ＲＮＴＩをえ、そのＲＡＲ情報は、同一のＲＡＲメッセージに含まれて送信される。当該ＲＡＲメッセージは、当該ＲＡ−ＲＮＴＩによりスクランブリングされたＰＤＣＣＨによりスケジューリングされたダウンリンク共有チャネルを介して伝送され、かつ当該ダウンリンク共有チャネルも当該ＲＡ−ＲＮＴＩを用いてスクランブリングする。
【００１０】
Ｍｓｇ２に含まれる内容としては、ｂａｃｋｏｆｆ（バックオフ）パラメータと、Ｍｓｇ１に対応するｐｒｅａｍｂｌｅシーケンスの識別子情報と、アップリンク伝送ＴＡ（Ｔｉｍｉｎｇ Ａｄｖａｎｃｅ）と、Ｍｓｇ３のＵＬ ｇｒａｎｔ（アップリンク・グラント、物理層においてＲＡＲ ｇｒａｎｔとも称される）と、ＴＣ−ＲＮＴＩ（ｔｅｍｐｏｒａｒｙ、Ｃ−ＲＮＴＩ、Ｃｅｌｌ− Ｒａｄｉｏ Ｎｅｔｗｏｒｋ Ｔｅｍｐｏｒａｒｙ Ｉｄｅｎｔｉｆｉｅｒ）とを含む。ここで、ｂａｃｋｏｆｆパラメータは、今回のランダムアクセスが失敗すれば、端末により開始させる次回のランダムアクセスの遅延平均値を示す。
【００１１】
端末は、自分がＭｓｇ１によりｐｒｅａｍｂｌｅシーケンスを送信するのに用いられたＰＲＡＣＨ時間・周波数領域リソースにより確定されたＲＡ−ＲＮＴＩに基づいて、自分のＲＡＲを含むＲＡＲメッセージ（即ち、ＤＬ−ＳＣＨにおいて送信したＭｓｇ２）を識別し、当該ＲＡＲメッセージにおいて、自分がＭｓｇ１により送信したｐｒｅａｍｂｌｅシーケンスの識別子情報に基づき、自分に送信したＲＡＲを確定する。端末は、Ｍｓｇ２を正確に受信できなければ、ｂａｃｋｏｆｆパラメータの遅延制限により、次回開始するランダムアクセスの遅延を確定し、ランダムアクセスリソースを別途に選択して次回のランダムアクセスを開始する。最大ランダムアクセス回数になった後、端末のＭＡＣ層がＲＲＣ層へランダムアクセス問題を報告し、ＲＬＦ（Ｒａｄｉｏ Ｌｉｎｋ Ｆａｉｌｕｒｅ，無線リンク失敗）プロシージャをトリガーする。
【００１２】
（３）Ｍｓｇ３：初回のスケジューリングアップリンク伝送。
【００１３】
当該メッセージはアップリンクメッセージであり、端末により送信され、ｅＮＢにより受信する。
【００１４】
端末は、Ｍｓｇ２を受信した後、取得した自分のＲＡＲに含まれるＵＬ ｇｒａｎｔ（即ち、ＲＡＲ ｇｒａｎｔ）により示されるアップリンクリソースにおいてアップリンク伝送を行う。即ち、自分のＲＡＲ ｇｒａｎｔにおけるスケジューリング情報に基づいてＰＵＳＣＨ（Ｐｈｙｓｉｃａｌ Ｕｐｌｉｎｋ Ｓｈａｒｅｄ Ｃｈａｎｎｅｌ，物理アップリンク共有チャネル）を伝送する。当該ＰＵＳＣＨは、ＭＡＣ層のＵＬ−ＳＣＨ（Ｕｐｌｉｎｋ Ｓｈａｒｅｄ Ｃｈａｎｎｅｌ）アップリンク共有チャネルに対応する。ＨＡＲＱプロシージャを利用し、アップリンクリソースにおいて、少なくても５６ビットを伝送する。
【００１５】
Ｍｓｇ３の初期伝送は、唯一の、ＭＡＣ層により動的にスケジューリングするアップリンク伝送であり、ＭＡＣ層の取り扱いが必要となる。なので、Ｍｓｇ３とＭｓｇ２の間に少なくとも６ｍｓの間隔がある。たのＭｓｇ３の再伝送は、全部ＰＤＣＣＨにより完成され、当該ＰＤＣＣＨは、コモンサーチスペースにおいて伝送され、かつ、ＴＣ−ＲＮＴＩを用いてスクランブリングされる。
【００１６】
（４）Ｍｓｇ４：競合解決。
【００１７】
当該メッセージはダウンリンクメッセージであり、ｅＮＢにより送信され、端末により受信される。
【００１８】
ｅＮＢ及び端末は、Ｍｓｇ４により最終の競合解決（所謂競合とは、Ｍｓｇ１の送信の際、異なる端末が同様なｐｒｅａｍｂｌｅシーケンス及び同様なＰＲＡＣＨ時間・周波数領域リソースを選択することを指す）を完成する。Ｍｓｇ４の内容はＭｓｇ３の内容と対応する。Ｍｓｇ４は、ＭＡＣ層に定義されたＤＬ−ＳＣＨにより搬送され、物理層においてＰＤＳＣＨに対応する。１つのＭｓｇ４は、１組のみの競合端末の競合解決メッセージ（実に１つのみの端末が成功する）を応答することができる。Ｍｓｇ４のスケジューリング情報を搬送するダウンリンク制御チャネルは、端末の専用サーチスペースにおいて伝送され、ＴＣ−ＲＮＴＩまたはＣ−ＲＮＴＩを用いてスクランブリングする。具体的にどちらのＲＮＴＩを用いるかは、競合アクセスのトリガー理由及びシナリオの次第である。Ｍｓｇ４もＨＡＲＱメカニズムを採用するが、Ｍｓｇ４のデコーディングが成功して、かつ競合解決を完成する場合のみ、端末がＡｃｋｎｏｗｌｅｄｇｅｍｅｎｔ (ＡＣＫ) 情報をフィードバックし、他の場合フィードバックしない。
【００１９】
端末は、Ｍｓｇ３を送信した後競合解決タイマー（ＭＡＣ−ＣｏｎｔｅｎｔｉｏｎＲｅｓｏｌｕｔｉｏｎＴｉｍｅｒ）を稼動し、また、Ｍｓｇ３再伝送ごとに競合解決タイマーを再稼動する。競合解決タイマーの時間切れまで、競合解決が完成できていなければ、競合解決失敗とみなす。競合解決失敗であれば、Ｍｓｇ２受信失敗の操作と類似し、ｂａｃｋｏｆｆパラメータの遅延制限に基づいて次回のランダムアクセスの開始の遅延を確定し、ランダムアクセスリソースを別途に選択して、次回のランダムアクセスを開始する。最大ランダムアクセス回数になった後、端末のＭＡＣ層は、ＲＲＣ層へランダムアクセス問題を報告し、無線リンク失敗プロシージャをトリガーする。
【００２０】
モノのインターネットの出現とともない、ＬＴＥ（ｌｏｎｇ Ｔｅｒｍ Ｅ能周ｏｌｕｔｉｏｎ）システムにおいて、ＭＴＣ（Ｍａｃｈｉｎｅ Ｔｙｐｅ Ｃｏｍｍｕｎｉｃａｔｉｏｎ）へのサポートがますます重要視される。３ＧＰＰ（３ｒｄ  Ｇｅｎｅｒａｔｉｏｎ  Ｐａｒｔｎｅｒｓｈｉｐ  Ｐｒｏｊｅｃｔ）（Ｒｅｌｅａｓｅ）１３には、ＭＴＣの物理層強化に対するプロジェクトを立案した。一台のＭＴＣ装置（またはＭＴＣ端末とも称される）は、多様なＭ２Ｍ（Ｍａｃｈｉｎｅ ｔｏ Ｍａｃｈｉｎｅ）通信特性のうちの一部の特性、例えば、低モビリティ、小伝送データ量、通信遅延への鈍感、極低消費電力などを有する。ここで、ＭＴＣ ＵＥのコストを低減するため、新たしいＵＥタイプを定義しようとし、当該タイプの場合、そのアップリンクとダウンリンクのいて、１.４メガヘルツ（ＭＨｚ）無線周波数帯域幅のみをサポートする。
【００２１】
従来ネットワークにおけるあるシナリオでの端末、例えば地下室、百貨店または建物の隅に位置する端末は、無線信号のひどい遮断により、信号が減衰されてしまい、ネットワークと通信できなくなる。このようなシナリオでネットワークのカバレッジはネットワークのネット立てコストを大幅に向上する。テストにより、従来のカバレッジを強化してネットワーク通信を実現する必要があると認識している。カバレッジ強化のための実施可能の方法としては、従来のチャネルに対して重複伝送または類に技術を利用し、理論上で従来の物理チャネルに対して、数十回ないし指数百回の重複伝送を行うことにより、ある程度のカバレッジ範囲が増大できる方法である。
【００２２】
ＭＴＣシステムにおいて、ＰＲＡＣＨにより用いる時間領域、周波数領域リソース及びｐｒｅａｍｂｌｅシーケンスを接続することにより、端末のカバレッジ・エンハンスメント・レベル（ｌｅｖｅｌ）を区分。ノーマルカバレッジモード（カバレッジ・エンハンスメント・レベル０）の場合重複伝送が要らなく、カバレッジエンハンスメントの異なるレベル間のＰＲＡＣＨにより重複伝送が始まる時刻がそれぞれであり、重複伝送回数も異なる。Ｍｓｇ２プロシージャにおいて、ランダムアクセス応答をスケジューリングする、ＲＡ−ＲＮＴＩによりスクランブリングされたダウンリンク制御チャネルの重複伝送が始まる時刻が異なり、重複伝送回数も異なる。よって、異なるカバレッジ・エンハンスメント・レベルの端末に対応する、ＲＡ−ＲＮＴＩによりスクランブリングされたダウンリンク制御チャネルが重複伝送する場合、伝送時間において一部のオーバーラップが現れ、従来の技術により伝送すれば、リソース衝突が引き起こされ、一部の端末がＲＡ−ＲＮＴＩによりスクランブリングされたダウンリンク制御チャネルを伝送するためのリソースを有さないため、ランダムアクセス応答を受信できなくなる。また、端末は、異なるダウンリンク制御チャネルｃａｎｄｉｄａｔｅをブラインド検出することにより自分のスケジューリングシグナリングを取得する必要がある。なので、電力が浪費される。目下、異なるカバレッジ・エンハンスメント・レベルに対応する、ＲＡ−ＲＮＴＩによりスクランブリングされたダウンリンク制御チャネルのリソース衝突の防止には、まだ方法がない。同様に、Ｍｓｇ４プロシージャにおいて、Ｍｓｇ４の、Ｃ−ＲＮＴＩによりスクランブリングされたダウンリンク制御チャネルをスケジューリングする場合も、一部のオーバーラップが現れる可能性があり、従来の技術により伝送すれば、リソースの衝突を引き起こす恐れがあり、かつ、従来の技術の当該ダウンリンク制御チャネルが、端末専用サーチスペースにおいて伝送することができるが、ＭＴＣ初期ランダムアクセスの場合、専用サーチスペースの設定情報を取得できないため、一部の端末がＴＣ−ＲＮＴＩスクランブリングのダウンリンク制御チャネルを伝送するためのリソースを有さないことにより、競合解決メッセージを受信することができない。
【発明の概要】
【発明が解決しようとする課題】
【００２３】
本発明に係る実施例は、ランダムアクセス応答の伝送方法及び装置を提供し、異なるカバレッジ・エンハンスメント・レベルのランダムアクセス応答が独立に伝送されることが確保され、端末から物理ダウンリンク制御チャネルへのブラインド検出が低減され、かつ、端末の電力損失が節約できる。
【課題を解決するための手段】
【００２４】
ネットワーク側において、本発明の実施例に係るランダムアクセス応答の伝送方法は、
ネットワークは、少なくとも物理ダウンリンク制御チャネルに対応するカバレッジ・エンハンスメント・レベルに基づき、前記物理ダウンリンク制御チャネルの周波数領域リソースを確定するステップであって、異なるカバレッジ・エンハンスメント・レベルを有する物理ダウンリンク制御チャネルの周波数領域リソースは、独立に設定される前記確定ステップと、
前記ネットワーク側は、前記物理ダウンリンク制御チャネルの周波数領域リソースにおいて、前記物理ダウンリンク制御チャネルを送信するステップとを備える。
【００２５】
当該方法によれば、ネットワークは、少なくとも物理ダウンリンク制御チャネルに対応するカバレッジ・エンハンスメント・レベルに基づき、前記物理ダウンリンク制御チャネルの周波数領域リソースを確定し、ここで、異なるカバレッジ・エンハンスメント・レベルを有する物理ダウンリンク制御チャネルの周波数領域リソースは、独立に設定される。前記ネットワーク側は、前記物理ダウンリンク制御チャネルの周波数領域リソースにおいて、前記物理ダウンリンク制御チャネルを送信する。これにより、異なるカバレッジ・エンハンスメント・レベルのランダムアクセス応答の自分のＲＡ−ＲＮ伝送が確保され、端末から物理ダウンリンク制御チャネルへのブラインド検出が低減され、かつ、端末の電力損失が節約できる。
【００２６】
オプションとして、前記ネットワークは、少なくとも物理ダウンリンク制御チャネルに対応するカバレッジ・エンハンスメント・レベルに基づき、前記物理ダウンリンク制御チャネルの周波数領域リソースを確定する前、前記方法は、
前記ネットワーク側は、異なるカバレッジ・エンハンスメント・レベルを有する物理ダウンリンク制御チャネルの周波数領域リソースをそれぞれに確定し、異なるカバレッジ・エンハンスメント・レベルを有する物理ダウンリンク制御チャネルの周波数領域リソースを端末に独立に通知するステップをさらに備える。
【００２７】
オプションとして、前記カバレッジ・エンハンスメント・レベルに対応する物理ランダムアクセスチャネル（ＰＲＡＣＨ）が同一のサブフレームにおいて複数の利用可能周波数領域リソースを有すれば、前記ネットワーク側は、前記ＰＲＡＣＨ伝送に用いられる周波数領域リソースに基づき、前記物理ダウンリンク制御チャネルの周波数領域リソースを確定し、前記ＰＲＡＣＨの、同一のサブフレームにおける異なるＰＲＡＣＨ周波数領域リソースに対応する物理ダウンリンク制御チャネルの周波数領域リソースは、独立に設定される。即ち、この場合、物理ダウンリンク制御チャネルに対応するカバレッジ・エンハンスメント・レベル及び前記ＰＲＡＣＨ伝送に用いられる周波数領域リソースに基づき、前記物理ダウンリンク制御チャネルの周波数領域リソースを確定する必要がある。ここで、異なるカバレッジ・エンハンスメント・レベルを有する物理ダウンリンク制御チャネルの周波数領域リソースは、独立に設定され、かつ、同一のカバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。
【００２８】
オプションとして、前記ネットワーク側が前記物理ダウンリンク制御チャネルの周波数領域リソースを確定する前、前記方法は、
それぞれのカバレッジ・エンハンスメント・レベルに対し、前記ネットワーク側は、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知するステップをさらに備える。
【００２９】
オプションとして、システム情報により、前記物理ダウンリンク制御チャネルの周波数領域リソースを端末に独立に通知する。
【００３０】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【００３１】
さらに説明したいのは、上述のカバレッジ・エンハンスメント・レベルは、ＰＲＡＣＨ リソース集合（ｒｅｓｏｕｒｃｅ ｓｅｔ）に対応することができ、１つのＰＲＡＣＨ ｒｅｓｏｕｒｃｅ ｓｅｔは１つのカバレッジ・エンハンスメント・レベルに対応し、ＰＲＡＣＨ ｒｅｓｏｕｒｃｅ ｓｅｔは、ＰＲＡＣＨ時間・周波数領域リソース及びｐｒｅａｍｂｌｅ集合を含む。よって、本発明には、カバレッジ・エンハンスメント・レベルをＰＲＡＣＨ ｒｅｓｏｕｒｃｅ ｓｅｔに取り替えることができ、後述の関わる内容もこれと同様であり、繰り返して説明しない。
【００３２】
オプションとして、前記ネットワーク側が、前記物理ダウンリンク制御チャネルの周波数領域リソースにおいて、前記物理ダウンリンク制御チャネルを送信するステップは、
前記ネットワーク側は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信する。
【００３３】
オプションとして、前記物理ダウンリンク制御チャネルは、コモンサーチスペースにおいて伝送され、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングする。
【００３４】
オプションとして、前記物理ダウンリンク制御チャネルの周波数領域リソースは、
前記物理ダウンリンク制御チャネル伝送が行われる狭帯域情報及び/またはエンハンスメント制御チャネルエレメント（ＥＣＣＥ）番号情報を含むか、
または、前記物理ダウンリンク制御チャネル伝送が行われるコモンサーチスペースを含む。ここで、前記コモンサーチスペースは、１つの狭帯域、または、１つの狭帯域中の一部ＰＲＢを示す。即ち、コモンサーチスペースを具体的に設定する場合、狭帯域番号及び/またはＰＲＢ番号に直ちに設定することができ、甚だしい場合は、さらに小さい単位（例えばＥＣＣＥ）で設定することもできる。後述の関わる内容もこれと同様であり、繰り返して説明しない。
【００３５】
本発明の実施例に係るランダムアクセス応答の伝送方法は、
端末は、少なくとも物理ダウンリンク制御チャネルに対応するカバレッジ・エンハンスメント・レベルに基づき、前記物理ダウンリンク制御チャネルの周波数領域リソースを確定するステップであって、異なるカバレッジ・エンハンスメント・レベルを有する物理ダウンリンク制御チャネルの周波数領域リソースは、独立に設定される前記確定ステップと、
前記端末は、前記物理ダウンリンク制御チャネルの周波数領域リソースにおいて、前記物理ダウンリンク制御チャネルを受信するステップとを備える。
【００３６】
オプションとして、前記端末が、少なくとも物理ダウンリンク制御チャネルに対応するカバレッジ・エンハンスメント・レベルに基づき、前記物理ダウンリンク制御チャネルの周波数領域リソースを確定する前、
異なるカバレッジ・エンハンスメント・レベルを有する物理ダウンリンク制御チャネルの周波数領域リソースを独立に示す設定情報を取得し、前記設定情報に基づき、異なるカバレッジ・エンハンスメント・レベルを有する物理ダウンリンク制御チャネルの周波数領域リソースを取得する。
【００３７】
オプションとして、前記カバレッジ・エンハンスメント・レベルに対応するＰＲＡＣＨが、同一のサブフレームにおいて複数の利用可能周波数領域リソースを有すれば、前記端末は、前記端末のＰＲＡＣＨ伝送に用いられる周波数領域リソースに基づき、前記物理ダウンリンク制御チャネルの周波数領域リソースを確定し、ここで、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。即ち、この場合、物理ダウンリンク制御チャネルに対応するカバレッジ・エンハンスメント・レベル及び前記ＰＲＡＣＨ伝送に用いられる周波数領域リソースに基づき、前記物理ダウンリンク制御チャネルの周波数領域リソースを確定し、ここで、異なるカバレッジ・エンハンスメント・レベルを有する物理ダウンリンク制御チャネルの周波数領域リソースは、独立に設定され、かつ、同一のカバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。
【００３８】
オプションとして、前記端末が前記端末のＰＲＡＣＨ伝送に用いられる周波数領域リソースに基づき、前記物理ダウンリンク制御チャネルの周波数領域リソースを確定する前、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得する。
【００３９】
オプションとして、システム情報により、前記物理ダウンリンク制御チャネルの周波数領域リソースを示す設定情報を取得する。
【００４０】
オプションとして、前記カバレッジ・エンハンスメント・レベルは、カバレッジエンハンスメントｄＢ数及び/または重複伝送回数を示し、ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【００４１】
さらに説明したいのは、上述のカバレッジ・エンハンスメント・レベルは、ＰＲＡＣＨ リソース集合（ｒｅｓｏｕｒｃｅ ｓｅｔ）に対応することができ、１つのＰＲＡＣＨ ｒｅｓｏｕｒｃｅ ｓｅｔは１つのカバレッジ・エンハンスメント・レベルに対応し、ＰＲＡＣＨ ｒｅｓｏｕｒｃｅ ｓｅｔは、ＰＲＡＣＨ時間・周波数領域リソース及びｐｒｅａｍｂｌｅ集合を含む。よって、本発明には、カバレッジ・エンハンスメント・レベルをＰＲＡＣＨ ｒｅｓｏｕｒｃｅ ｓｅｔに取り替えることができ、後述の関わる内容もこれと同様であり、繰り返して説明しない。
【００４２】
オプションとして、前記端末が、前記物理ダウンリンク制御チャネルの周波数領域リソースにおいて、前記物理ダウンリンク制御チャネルを受信するステップは、
前記端末は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信する。
【００４３】
オプションとして、前記物理ダウンリンク制御チャネルは、コモンサーチスペースにおいて伝送され、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされる。
【００４４】
オプションとして、前記物理ダウンリンク制御チャネルの周波数領域リソースは、
前記物理ダウンリンク制御チャネル伝送が行われる狭帯域情報及び/またはエンハンスメント制御チャネルエレメント（ＥＣＣＥ）番号情報を含み、
または、前記物理ダウンリンク制御チャネル伝送が行われるコモンサーチスペースを含む。ここで、前記コモンサーチスペースは、１つの狭帯域、または、１つの狭帯域中の一部ＰＲＢを示す。即ち、コモンサーチスペースを具体的に設定する場合、狭帯域番号及び/またはＰＲＢ番号に直ちに設定することができ、甚だしい場合は、さらに小さい単位（例えば、ＥＣＣＥなど）で設定することもできる。後述の関わる内容もこれと同様であり、繰り返して説明しない。
【００４５】
ネットワーク側において、本発明の実施例に係る、ランダムアクセス応答の伝送装置は、
少なくとも物理ダウンリンク制御チャネルに対応するカバレッジ・エンハンスメント・レベルに基づいて、前記物理ダウンリンク制御チャネルの周波数領域リソースを確定し、異なるカバレッジ・エンハンスメント・レベルを有する物理ダウンリンク制御チャネルの周波数領域リソースが、独立に設定される周波数領域リソース確定ユニットと、
前記物理ダウンリンク制御チャネルの周波数領域リソースにおいて、前記物理ダウンリンク制御チャネルを送信する送信ユニットとを備える。
【００４６】
オプションとして、前記周波数領域リソース確定ユニットは、少なくとも物理ダウンリンク制御チャネルに対応するカバレッジ・エンハンスメント・レベルに基づいて、前記物理ダウンリンク制御チャネルの周波数領域リソースを確定する前、異なるカバレッジ・エンハンスメント・レベルを有する物理ダウンリンク制御チャネルの周波数領域リソースそれぞれを確定し、異なるカバレッジ・エンハンスメント・レベルを有する物理ダウンリンク制御チャネルの周波数領域リソースを端末に独立に通知する。
【００４７】
オプションとして、前記カバレッジ・エンハンスメント・レベルに対応する物理ランダムアクセスチャネル（ＰＲＡＣＨ）が同一のサブフレームにおいて複数の利用可能周波数領域リソースを有すれば、前記周波数領域リソース確定ユニットは、前記ＰＲＡＣＨ伝送に用いられる周波数領域リソースに基づき、前記物理ダウンリンク制御チャネルの周波数領域リソースを確定し、ここで、記ＰＲＡＣＨの、同一のサブフレームにおける異なるＰＲＡＣＨ周波数領域リソースに対応する物理ダウンリンク制御チャネルの周波数領域リソースは、独立に設定される。
【００４８】
オプションとして、前記周波数領域リソース確定ユニットが前記物理ダウンリンク制御チャネルの周波数領域リソースを確定する前、
それぞれのカバレッジ・エンハンスメント・レベルに対し、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知する。
【００４９】
オプションとして、前記周波数領域リソース確定ユニットは、システム情報により、前記物理ダウンリンク制御チャネルの周波数領域リソースを端末に独立に通知する。
【００５０】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【００５１】
オプションとして、前記送信ユニットは、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信する。
【００５２】
オプションとして、前記送信ユニットは、コモンサーチスペースにおいて、前記物理ダウンリンク制御チャネルを伝送し、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングする。
【００５３】
オプションとして、前記物理ダウンリンク制御チャネルの周波数領域リソースは、
前記物理ダウンリンク制御チャネル伝送が行われる狭帯域情報及び/またはエンハンスメント制御チャネルエレメント（ＥＣＣＥ）番号情報を含み、
または、前記物理ダウンリンク制御チャネル伝送が行われるコモンサーチスペースを含む。
【００５４】
端末側において、本発明の実施例に係るランダムアクセス応答の伝送装置は、
少なくとも物理ダウンリンク制御チャネルに対応するカバレッジ・エンハンスメント・レベルに基づいて、前記物理ダウンリンク制御チャネルの周波数領域リソースを確定し、異なるカバレッジ・エンハンスメント・レベルを有する物理ダウンリンク制御チャネルの周波数領域リソースが、独立に設定される周波数領域リソース確定ユニットと、
前記物理ダウンリンク制御チャネルの周波数領域リソースにおいて前記物理ダウンリンク制御チャネルを受信する受信ユニットとを備える。
【００５５】
オプションとして、前記周波数領域リソース確定ユニットは、少なくとも物理ダウンリンク制御チャネルに対応するカバレッジ・エンハンスメント・レベルに基づいて、前記物理ダウンリンク制御チャネルの周波数領域リソースを確定する前、異なるカバレッジ・エンハンスメント・レベルを有する物理ダウンリンク制御チャネルの周波数領域リソースを、独立に示す設定情報を取得し、前記設定情報に基づき、異なるカバレッジ・エンハンスメント・レベルを有する物理ダウンリンク制御チャネルの周波数領域リソースを取得する。
【００５６】
オプションとして、前記カバレッジ・エンハンスメント・レベルに対応するＰＲＡＣＨが、同一のサブフレームにおいて複数の利用可能周波数領域リソースを有すれば、前記周波数領域リソース確定ユニットは、前記端末のＰＲＡＣＨ伝送に用いられる周波数領域リソースに基づき、前記物理ダウンリンク制御チャネルの周波数領域リソースを確定し、ここで、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。
【００５７】
オプションとして、前記周波数領域リソース確定ユニットが、前記端末のＰＲＡＣＨ伝送に用いられる周波数領域リソースに基づき、前記物理ダウンリンク制御チャネルの周波数領域リソースを確定する前、前記周波数領域リソース確定ユニットは、
カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得する。
【００５８】
オプションとして、システム情報により、前記物理ダウンリンク制御チャネルの周波数領域リソースを示す設定情報を取得する。
【００５９】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【００６０】
オプションとして、前記受信ユニットは、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信する。
【００６１】
オプションとして、前記物理ダウンリンク制御チャネルは、コモンサーチスペースにおいて伝送され、かつ、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされる。
【００６２】
オプションとして、前記物理ダウンリンク制御チャネルの周波数領域リソースは、
前記物理ダウンリンク制御チャネル伝送が行われる狭帯域情報及び/またはエンハンスメント制御チャネルエレメント（ＥＣＣＥ）番号情報を含むか、
または、前記物理ダウンリンク制御チャネル伝送が行われるコモンサーチスペースを含む。
【図面の簡単な説明】
【００６３】
【図１】従来技術の競合ランダムアクセスのフローチャートである。
【図２】本発明の実施例１に係るＭｓｇ２伝を示す図である。
【図３】本発明の実施例に係るＥＰＤＣＣＨコモンサーチスペースの区画を示す図である。
【図４】本発明の実施例に係るＥＰＤＣＣＨコモンサーチスペースの区画を示すたの図である。
【図５】本発明の実施例２に係るＭｓｇ４伝送を示す図である。
【図６】本発明の実施例に係るネットワーク側のランダムアクセス応答の伝送方法のフローチャートである。
【図７】本発明の実施例に係る端末側のランダムアクセス応答の伝送方法のフローチャートである。
【図８】本発明の実施例に係るネットワーク側のランダムアクセス応答の伝送装置の構造図である。
【図９】本発明の実施例に係る端末側のランダムアクセス応答の伝送装置の構造図である。
【図１０】本発明の実施例に係るネットワーク側における他のランダムアクセス応答の伝送装置の構造図である。
【図１１】本発明の実施例に係る端末側における他のランダムアクセス応答の伝送装置の構造図である。
【発明を実施するための形態】
【００６４】
本発明の実施例に係るランダムアクセス応答の伝送方法及び装置は、異なるカバレッジ・エンハンスメント・レベルのランダムアクセス応答が独立に伝送されることが確保され、端末から物理ダウンリンク制御チャネルへのブラインド検出が低減され、かつ、端末の電力損失が節約できる。
【００６５】
本発明の実施例に係るネットワーク側（例えば、基地局）は、ノーマルカバレッジ及び異なるカバレッジ・エンハンスメント・レベルに対し、または、異なるカバレッジ・エンハンスメント・レベルのみに対し、ＲＡ−ＲＮＴＩによりスクランブリングされたダウンリンク制御チャネルを伝送するための周波数領域リソースをそれぞれに独立に設定し、例えば、システム情報により）端末に通知し、端末は、自分のカバレッジ状況により、即ち、当該端末がノーマルカバレッジモードであるかエンハンスメントカバレッジモードであるかに応じて、エンハンスメントカバレッジモードなら、どちらのレベルのエンハンスメントカバレッジモードであるかに応じて、対応の周波数領域リソースにおいてＲＡ−ＲＮＴＩによりスクランブリングされたダウンリンク制御チャネルを検出する。
【００６６】
前記ノーマルカバレッジまたは前記カバレッジ・エンハンスメント・レベルに対応するＰＲＡＣＨリソースが、同一のサブフレームにおいて、周波数領域上に複数の利用可能周波数領域リソース位置を有すれば、周波数領域リソース位置ごとに、ＲＡ−ＲＮＴＩによりスクランブリングされたダウンリンク制御チャネルを伝送するための周波数領域リソースを独立に設定する。
【００６７】
前記ダウンリンク制御チャネルは、ＥＰＤＣＣＨ（Ｅｎｈａｎｃｅｄ Ｐｈｙｓｉｃａｌ Ｄｏｗｎｌｉｎｋ Ｃｏｎｔｒｏｌ Ｃｈａｎｎｅｌ，エンハンスト物理ダウンリンク制御チャネル）方式で伝送される。
【００６８】
前記周波数領域リソースは、狭帯域情報及び/またはＥＣＣＥ（Ｅｎｈａｎｃｅｄ Ｃｏｎｔｒｏｌ Ｃｈａｎｎｅｌ Ｅｌｅｍｅｎｔ，エンハンスメント制御チャネルエレメント）番号情報を含むか、または、前記周波数領域リソースは、コモンサーチスペースを含む（より多くのＥＣＣＥが含まれるため、複数の同様なレベルのエンハンスメントカバレッジモードの端末は、同一のコモンサーチスペースを多重利用することができ、それぞれの端末は,当該コモンサーチスペースにおいてブラインド検出を行い、自分のＲＡ−ＲＮＴＩに対応する周波数領域リソースを確定する）。
【００６９】
ここで、異なるカバレッジ状況の端末に対応する、ＲＡ−ＲＮＴＩによりスクランブリングされたＥＰＤＣＣＨを伝送するためのＥＣＣＥ数が同じであるか異なり、連続するか不連続してもよい。
【００７０】
前記周波数領域リソースがコモンサーチスペースである場合、端末は、前記コモンサーチスペースにおいて、自分に対応するＲＡ−ＲＮＴＩによりスクランブリングされたダウンリンク制御チャネルをブラインド検出する。前記コモンサーチスペースは、複数の同様なカバレッジ状況を有し、かつ、ＲＡ−ＲＮＴＩが異なる端末のＲＡ−ＲＮＴＩによりスクランブリングされたダウンリンク制御チャネルの伝送のための多重利用をサポートする。
【００７１】
ノーマルカバレッジモードである場合、前記ＲＡ−ＲＮＴＩによりスクランブリングされたダウンリンク制御チャネルの伝送時刻は、サブフレームｎ+ｋからの第１番目の利用可能ダウンリンクサブフレームであり、または、サブフレームｎ+ｋからの第１番目の利用可能ダウンリンクサブフレームから始まる長さがＮであるランダムアクセス応答ウィンドウにおける１つのサブフレームである。ここで、ｎは、前記ＲＡ−ＲＮＴＩに対応するＰＲＡＣＨを伝送するためのサブフレームのうちの最後の１つのサブフレームである。Ｎは、プリセットしたランダムアクセス応答ウィンドウ長である。Kは処理遅延であり、例えば、ｋ＝３。即ち、端末は、サブフレームｎ+ｋからの第１番目の利用可能ダウンリンクサブフレームにおいて、前記ＲＡ−ＲＮＴＩによりスクランブリングされたダウンリンク制御チャネルを検出するか、または、サブフレームｎ+ｋからの第１番目の利用可能ダウンリンクサブフレームから始まる長さがＮであるランダムアクセス応答ウィンドウにおける各々ダウンリンクサブフレームにおいて、前記ＲＡ−ＲＮＴＩによりスクランブリングされたダウンリンク制御チャネルをブラインド検出する。
【００７２】
エンハンスメントカバレッジモードである場合、前記ＲＡ−ＲＮＴＩによりスクランブリングされたダウンリンク制御チャネルの伝送サブフレーム集合は、サブフレームｎ+ｋからの第１番目の利用可能ダウンリンクサブフレームから始まるダウンリンクサブフレームの集合であり、集合中のダウンリンクサブフレーム数は、前記カバレッジ・エンハンスメント・レベルに対応する重複伝送回数である。ｎは、前記ＲＡ−ＲＮＴＩに対応するＰＲＡＣＨを重複伝送するサブフレームのうちの最後の１つのサブフレームである。
【００７３】
以下いくつかの実施例を説明する。
【００７４】
＜実施例１＞ノーマルカバレッジ及び異なるカバレッジ・エンハンスメント・レベルを有する端末のＭｓｇ１とＭｓｇ２伝送は図２に示すように、ノーマルカバレッジ端末及び異なるカバレッジ・エンハンスメント・レベルの端末に用いられるｐｒｅａｍｂｌｅ、時間領域位置及び周波数領域位置のうちの少なくとも１つが異なる。ノーマルカバレッジ及び異なるカバレッジ・エンハンスメント・レベルを有する端末のＭｓｇ１とＭｓｇ２の間のタイミング関係は、それぞれの最後の１つのｐｒｅａｍｂｌｅ伝送サブフレームｎ+３により決める。
【００７５】
１つの状況において、ＳＩＢ（Ｓｙｓｔｅｍ Ｉｎｆｏｒｍａｔｉｏｎ Ｂｌｏｃｋ，システム情報ブロック）情報は、以下のような情報を予めに通知する。
【００７６】
*ノーマルカバレッジ端末のＲＡ−ＲＮＴＩによりスクランブリングされたＥＰＤＣＣＨが狭帯域０におけるＥＣＣＥ０〜ＥＣＣＥ２にて伝送される。
*カバレッジ・エンハンスメント・レベル１端末のＲＡ−ＲＮＴＩによりスクランブリングされたＥＰＤＣＣＨが狭帯域０におけるＥＣＣＥ３〜ＥＣＣＥ５にて伝送される。
*カバレッジ・エンハンスメント・レベル２端末のＲＡ−ＲＮＴＩによりスクランブリングされたＥＰＤＣＣＨが狭帯域０におけるＥＣＣＥ６〜ＥＣＣＥ９にて伝送される。
*カバレッジ・エンハンスメント・レベル３端末のＲＡ−ＲＮＴＩによりスクランブリングされたＥＰＤＣＣＨが狭帯域０におけるＥＣＣＥ１０〜ＥＣＣＥ１５にて伝送される。
【００７７】
これらのＥＰＤＣＣＨは、サブフレームごとに全部の対応のＥＣＣＥにて伝送され、端末は自分のＥＰＤＣＣＨのブラインド検出する必要がなく、自分のＲＡ−ＲＮＴＩ及びｎ+３タイミングにより確定した起始サブフレームから始まって、対応の周波数領域リソースにおいて、ＲＡ−ＲＮＴＩによりスクランブリングされたＥＰＤＣＣＨを受信すればよい。ノーマルカバレッジ及び異なるカバレッジ・エンハンスメント・レベルの端末のＲＡ−ＲＮＴＩによりスクランブリングされたＥＰＤＣＣＨの伝送周波数領域リソースがお互いに自分のＲＡ−ＲＮしてオーバーラップしないため、異なるＥＰＤＣＣＨの伝送時間がオーバーラップしても、リソースは衝突しない。上述の異なるカバレッジ状況の端末に設定された狭帯域は同様であるか異なる。狭帯域位置は他の狭帯域としてもよい。異なるカバレッジ状況の端末に対応する、ＲＡ−ＲＮＴＩによりスクランブリングされたＥＰＤＣＣＨを伝送するためのＥＣＣＥ数が同じであるか異なり、連続するか不連続してもよく、また、上述の例示した値に限られない。
【００７８】
たの状況として、ＳＩＢ情報は、以下のような情報を予めに通知する。
【００７９】
*ノーマルカバレッジ端末のＲＡ−ＲＮＴＩによりスクランブリングされたＥＰＤＣＣＨがコモンサーチスペース０において伝送される（ここで、コモンサーチスペース０は、例えば、狭帯域iにおける６個のRBに定義することができ、または、システム帯域内のあるX個のRBに定義されてもよい。ここで、Xは６より小さいか等しい。以下のコモンサーチスペースの定義はこれと類似するため、繰り返して説明しない）。
*カバレッジ・エンハンスメント・レベル１端末のＲＡ−ＲＮＴＩによりスクランブリングされたＥＰＤＣＣＨがコモンサーチスペース１にて伝送される。
*カバレッジ・エンハンスメント・レベル２端末のＲＡ−ＲＮＴＩによりスクランブリングされたＥＰＤＣＣＨがコモンサーチスペース１にて伝送される。
*カバレッジ・エンハンスメント・レベル３端末のＲＡ−ＲＮＴＩによりスクランブリングされたＥＰＤＣＣＨがコモンサーチスペース２にて伝送される。
【００８０】
この場合、１つのコモンサーチスペースに含まれる候補ＥＰＤＣＣＨの区画方式は、図３または図４に示すように、１つのＲＡ−ＲＮＴＩによりスクランブリングされたＥＰＤＣＣＨはそのうちの１つの候補ＥＰＤＣＣＨ伝送ウィンドウ（図において同様な充填方式で充填したサブフレーム）を占有し、異なるカバレッジ状況に対応するＲＡ−ＲＮＴＩによりスクランブリングされたＥＰＤＣＣＨは、自分のＲＡ−ＲＮのＥＣＣＥアグリゲーションレベル及び重複伝送サブフレーム数（ノーマルカバレッジの場合、即ち、サブフレーム数を１とする）が設定される。即ち、図３または図４における設定したＥＣＣＥアグリゲーションレベル及び重複伝送サブフレーム数と対応する異なる充填方式で充填した候補ＥＰＤＣＣＨ領域を占有して伝送し、端末は、自分のＲＡ−ＲＮＴＩによりスクランブリングされたＥＰＤＣＣＨがＥＣＣＥアグリゲーションレベルまたは重複伝送サブフレーム数に対応する候補ＥＰＤＣＣＨ領域中のどちらの部分において伝送されるかを知らず、自分のＲＡ−ＲＮＴＩ及びＥＰＤＣＣＨに対応するアグリゲーションレベル及び重複伝送サブフレーム数に基づく必要がある。
【００８１】
図３または図４に示す当該アグリゲーションレベル及び重複伝送サブフレーム数に対応する異なる充填方式で充填した候補ＥＰＤＣＣＨ位置において自分のＥＰＤＣＣＨをブラインド検出する。同一のコモンサーチスペースにおいて伝送する端末のＲＡ−ＲＮＴＩは相違する必要がある。
【００８２】
例えば、レベル１及びレベル２の端末がコモンサーチスペース１を多重利用すれば、レベル１端末及びレベル２端末のＲＡ−ＲＮＴＩは異なる。基地局は、レベル１及びレベル２端末のＲＡ−ＲＮＴＩによりスクランブリングされたＥＰＤＣＣＨを、コモンサーチスペース１における、図３または図４に示す区画方式で区画した異なる充填方式で充填した候補ＥＰＤＣＣＨ領域にマッピングして伝送する。例えば、図３に示すTDM区画方式によれば、基地局は、レベル１端末のために、ＥＣＣＥアグリゲーションレベルを２４とし、重複伝送サブフレーム数を４とするように設定し、この場合、レベル１端末のＲＡ−ＲＮＴＩによりスクランブリングされたＥＰＤＣＣＨは、図３において、２４個のＥＣＣＥアグリゲーションレベル、４つの重複伝送サブフレームに対応する、異なる充填方式で充填した候補ＥＰＤＣＣＨ位置（即ち、図３における上の図に示す）中の１つの位置において伝送されることができる。基地局は、そのうちの１つの候補ＥＰＤＣＣＨ位置を選択して、レベル１端末のＲＡ−ＲＮＴＩによりスクランブリングされたＥＰＤＣＣＨを伝送する。
【００８３】
例えば、基地局は、図３中の上の図における２番目の候補ＥＰＤＣＣＨ位置（即ち、図３中の上の図における５〜８番めのサブフレーム）を選定してレベル１端末のＥＰＤＣＣＨを伝送し、レベル１の端末は、自分のＥＰＤＣＣＨのために設定されたＥＣＣＥアグリゲーションレベル及び重複伝送サブフレーム数に基づき、自分のＥＰＤＣＣＨが図３中の上の図に示す候補ＥＰＤＣＣＨ位置において伝送することしかできないと判断できるが、どちらの４個のサブフレームにおいて伝送されるのかを判断できない。よって、レベル１端末は、図３中の上の図に示す異なる充填方式で充填した候補ＥＰＤＣＣＨ領域において、自分のＲＡ−ＲＮＴＩによりスクランブリングされたＥＰＤＣＣＨをブラインド検出する必要がある。即ち、１〜４番目のサブフレームにおいて、アグリゲーションレベルを２４個のＥＣＣＥとして、ＲＡ−ＲＮＴＩによりスクランブリングされたＥＰＤＣＣＨを１回検出し（即ち、第１〜４番目のサブフレームにおける２４個のＥＣＣＥそれぞれにおいてＥＰＤＣＣＨを受信し、複数のサブフレームにおいて受信した情報を合併し、最後に、ＣＲＣチェックにより判断し、チェック認めれば、正確であり、認めなければ、正しくないと判断する。その後のプロシージャに対する処理もこれと同様であり、繰り返して説明しない）。検出されていなければ、さらに、第５〜８番目のサブフレームにおいて、アグリゲーションレベルを２４個のＥＣＣＥとして、ＲＡ−ＲＮＴＩによりスクランブリングされたＥＰＤＣＣＨを１回検出し、自分のＥＰＤＣＣＨを検出するまで、これによって類推する。基地局は、レベル２端末のために、ＥＣＣＥアグリゲーションレベルを２４とし、重複伝送サブフレーム数を８とするように設定すれば、レベル２端末のＲＡ−ＲＮＴＩによりスクランブリングされたＥＰＤＣＣＨは、図３の２４個のＥＣＣＥアグリゲーションレベル、８個の重複伝送サブフレームに対応する異なる充填方式で充填した候補ＥＰＤＣＣＨ位置（即ち、図３の示す）のうちの１つの位置において伝送去れることができる。基地局は、そのうちの１つの候補ＥＰＤＣＣＨ位置を選択して、レベル２端末のＲＡ−ＲＮＴＩによりスクランブリングされたＥＰＤＣＣＨを伝送することができる。
【００８４】
例えば、基地局は、図３の中間図における２番目の候補ＥＰＤＣＣＨ位置（即ち、図３の中間の図においける９〜１６番目のサブフレーム中）を選択してレベル２端末のＥＰＤＣＣＨを伝送する。レベル２の端末は、自分のＥＰＤＣＣＨに設定されたＥＣＣＥアグリゲーションレベル及び重複伝送サブフレーム数により、ＥＰＤＣＣＨが図３の中間図に示す候補ＥＰＤＣＣＨ位置において伝送することのみを判断できるが、具体的にどちらの８個のサブフレームでおいて伝送されるのかを判断できない。よって、レベル２の端末は、図３の中間図に示す異なる充填方式で充填した候補ＥＰＤＣＣＨ領域において、自分のＲＡ−ＲＮＴＩによりスクランブリングされたＥＰＤＣＣＨをブラインド検出する必要がある。即ち、１〜８番目のサブフレームにおいて、２４個のＥＣＣＥのアグリゲーションレベルでＲＡ−ＲＮＴＩによりスクランブリングされたＥＰＤＣＣＨを１回検出する（即ち、それぞれの１〜８番目のサブフレームにおける２４個のＥＣＣＥにおいてＥＰＤＣＣＨを受信し、複数のサブフレームにおいて受信した情報を合併し、最後にＣＲＣチェックによって判断し、ＣＲＣチェックによって認めれば、正しいと判断し、認めなければ、正しくないと判断する。その後のプロシージャに対する処理もここと同様で、繰り返して説明しない）。検出されなければ、さらに、９〜１６番目のサブフレームにおいて、２４個のＥＣＣＥのアグリゲーションレベルでＲＡ−ＲＮＴＩによりスクランブリングされたＥＰＤＣＣＨを１回検出する。自分のＥＰＤＣＣＨを検出するまでに、これによって類推する。
【００８５】
例えば、図４に示すＦＤＭ区画方式によれば、基地局は、レベル１の端末のために、ＥＣＣＥアグリゲーションレベルを６とうぃ、重複伝送サブフレーム数を１６とするように設定すれば、レベル１の端末のＲＡ−ＲＮＴＩによりスクランブリングされたＥＰＤＣＣＨは、図４における６個のＥＣＣＥのアグリゲーションレベルで、１６個の重複伝送サブフレームに対応する異なる充填方式で充填した候補ＥＰＤＣＣＨ位置（即ち、図４における上の図に示す）のうちの１つの位置において伝送される。基地局は、そのうちの１つの候補ＥＰＤＣＣＨ位置を選択して、レベル１端末のＲＡ−ＲＮＴＩによりスクランブリングされたＥＰＤＣＣＨを伝送することができる。例えば、基地局は、図４における上の図の２番目の候補ＥＰＤＣＣＨ位置（即ち、図４における上の図において、上からの第２組の６個のＥＣＣＥ周波数領域リソースに対応する１６個のサブフレーム中）を選択してレベル１端末のＥＰＤＣＣＨを伝送することができる。レベル１の端末は、自分のＥＰＤＣＣＨに設定されたＥＣＣＥアグリゲーションレベル及び重複伝送サブフレーム数のみにより、自分のＥＰＤＣＣＨが図４における上の図に示す候補ＥＰＤＣＣＨ位置において伝送去れることのみを判断できるが、具体的にどちらの６個のＥＣＣＥにおいて伝送されるのかを判断できない。よって、レベル１の端末は、図４における上の図に示す異なる充填方式で充填した候補ＥＰＤＣＣＨ領域において、自分のＲＡ−ＲＮＴＩによりスクランブリングされたＥＰＤＣＣＨをブラインド検出する必要がある。即ち、上からの（または下からの）第１組の６個のＥＣＣＥリソースにおいて、１６個のサブフレームにてＲＡ−ＲＮＴＩによりスクランブリングされたＥＰＤＣＣＨを１回検出する（即ち、それぞれ１６個のサブフレームにおける第１組の６個のＥＣＣＥにおいてＥＰＤＣＣＨを受信し、複数のサブフレームにおいて受信した情報を合併し、最後にＣＲＣチェックによって判断し、ＣＲＣチェックによって認めれば、正しいと判断し、認めなければ、正しくないと判断する。その後のプロシージャに対する処理もここと同様で、繰り返して説明しない）。検出されなければ、さらに、第２組の６個のＥＣＣＥリソースにおいて、１６個のサブフレームにおいて、ＲＡ−ＲＮＴＩによりスクランブリングされたＥＰＤＣＣＨを１回検出する。自分のＥＰＤＣＣＨを検出するまでに、これによって類推する。基地局は、レベル２の端末のために、ＥＣＣＥアグリゲーションレベルを１２とし、重複伝送サブフレーム数を１６とするように設定すれば、レベル２の端末のＲＡ−ＲＮＴＩによりスクランブリングされたＥＰＤＣＣＨは、図４の１２个ＥＣＣＥアグリゲーションレベルで、１６個の重複伝送サブフレームに対応する異なる充填方式で充填した候補ＥＰＤＣＣＨ位置（即ち、図４の中間図に示す）のうちの１つの位置において伝送されることができる。基地局は、そのうちの１つの候補ＥＰＤＣＣＨ位置を選択してレベル２端末のＲＡ−ＲＮＴＩによりスクランブリングされたＥＰＤＣＣＨを伝送することができる。
【００８６】
例えば、基地局は、図４の中間図の２番目の候補ＥＰＤＣＣＨ位置（即ち、図４の中間図の上からの第２組の１２個のＥＣＣＥ周波数領域リソースに対応する１６個のサブフレーム中）を選択してレベル２端末のＥＰＤＣＣＨを伝送する。レベル２の端末は、自分のＥＰＤＣＣＨに設定されたＥＣＣＥアグリゲーションレベル及び重複伝送サブフレーム数のみにより、自分のＥＰＤＣＣＨが図４の中間図に示す候補ＥＰＤＣＣＨ位置のみにおいて伝送されると判断できるが、具体的にどちらの１２個のＥＣＣＥにおいて伝送去れるかを判断できない。よって、レベル２の端末は、図４の中間図に示す異なる充填方式で充填した候補ＥＰＤＣＣＨ領域において、自分のＲＡ−ＲＮＴＩによりスクランブリングされたＥＰＤＣＣＨをブラインド検出する。即ち、上から（または下から）の第１組の１２个ＥＣＣＥリソースにおける１６個のサブフレームにおいてＲＡ−ＲＮＴＩによりスクランブリングされたＥＰＤＣＣＨを１回検出する（即ち、１６個のサブフレームにおける第１組の１２個のＥＣＣＥにおいてＥＰＤＣＣＨをそれぞれ受信し、複数のサブフレームにおいて受信した情報を合併し、最後にＣＲＣチェックによって判断し、ＣＲＣチェックによって認めれば、正しいと判断し、認めなければ、正しくないと判断する。その後のプロシージャに対する処理もここと同様で、繰り返して説明しない）。検出されなければ、さらに、第２組の１２個のＥＣＣＥリソースにおける１６個のサブフレームにおいてＲＡ−ＲＮＴＩによりスクランブリングされたＥＰＤＣＣＨを１回検出する。自分のＥＰＤＣＣＨを検出するまでに、これによって類推する。同様なカバレッジ状況であれば、例えば、カバレッジレベル３の場合、同一のサブフレームにおいて複数のＰＲＡＣＨ周波数領域リソースが設定されれば、同一のサブフレームにおいて、異なるＰＲＡＣＨ周波数領域リソースで伝送した異なるレベル３端末に対応するＲＡ−ＲＮＴＩ異なる。ＲＡ−ＲＮＴＩによりスクランブリングされたＥＰＤＣＣＨがコモンサーチスペース２を多重利用して伝送する方式は、レベル１及びレベル２のコモンサーチスペース１における多重利用方式と同様である。
【００８７】
ノーマルカバレッジ及びエンハンスメントカバレッジの端末のＲＡ−ＲＮＴＩによりスクランブリングされたＥＰＤＣＣＨの伝送周波数領域リソースがお互いに自分のＲＡ−ＲＮしてオーバーラップしないため、ノーマルカバレッジ及びエンハンスメントカバレッジの端末のＲＡ−ＲＮＴＩによりスクランブリングされたＥＰＤＣＣＨは、伝送時間がオーバーラップしても、リソースが衝突しない。カバレッジ・エンハンスメント・レベル１及びレベル２の場合、同様なコモンサーチスペースを有し、レベル１端末及びレベル２端末のＲＡ−ＲＮＴＩによりスクランブリングされたＥＰＤＣＣＨは、ＥＣＣＥアグリゲーションレベル及び重複伝送サブフレーム数の異なる設定により、異なる候補ＥＰＤＣＣＨ領域において伝送されるため、衝突しない。異なるカバレッジ状況のコモンサーチスペースの設定方式は、本発明の例に限られず、コモンサーチスペース位置を変更するか、または、異なるカバレッジ状況の同一のコモンサーチスペースのだ重利用または、異なるカバレッジ状況の完全自分のＲＡ−ＲＮなコモンサーチスペースのような設定は、全部本発明に属する。
【００８８】
ここで、図３は、単に４、８、１６サブフレームの重複伝送を例として、スペースを区画するが、たの重複伝送サブフレーム数の区画方式及び時間領域においてより多くのｃａｎｄｉｄａｔｅが含まれる方式も本実施例に含まれる。図４は、単に６、１２、２４個のＥＣＣＥアグリゲーションレベルを例としてスペースを区画するが、たのアグリゲーションレベル数の区画方式及び時間領域におけるサブフレーム数が１６より大きいか小さいサブフレームの状況も本実施例に含まれる。
【００８９】
＜実施例２＞ノーマルカバレッジ及び異なるカバレッジ・エンハンスメント・レベルを有する端末のＭｓｇ３及びＭｓｇ４伝送は図５に示すように、ノーマルカバレッジ及び異なるカバレッジ・エンハンスメント・レベルを有する端末のＭｓｇ３とＭｓｇ４の間のタイミング関係はぞれぞれの最後の１つのＭｓｇ３伝送サブフレームｎ+３により確定される。
【００９０】
ＳＩＢ情報は、以下のような情報を予めに通知する。
【００９１】
*ノーマルカバレッジ端末のＴＣ−ＲＮＴＩによりスクランブリングされたＥＰＤＣＣＨがコモンサーチスペース０にて伝送される。
*カバレッジ・エンハンスメント・レベル１端末のＴＣ−ＲＮＴＩによりスクランブリングされたＥＰＤＣＣＨがコモンサーチスペース１にて伝送される。
*カバレッジ・エンハンスメント・レベル２端末のＴＣ−ＲＮＴＩによりスクランブリングされたＥＰＤＣＣＨがコモンサーチスペース２にて伝送される。
*カバレッジ・エンハンスメント・レベル３端末のＴＣ−ＲＮＴＩによりスクランブリングされたＥＰＤＣＣＨがコモンサーチスペース３にて伝送される。
【００９２】
１つのコモンサーチスペースに含まれる候補ＥＰＤＣＣＨの区画方式は、図３または図４に示すように、１つのＴＣ−ＲＮＴＩによりスクランブリングされたＥＰＤＣＣＨは、そのうちの１つの候補ＥＰＤＣＣＨ伝送ウィンドウ（図において同様な充填方式で充填したサブフレーム）を占有し、同一のカバレッジ状況の異なる端末に対応するＴＣ−ＲＮＴＩが異なる。同様なＥＣＣＥアグリゲーションレベル及び重複伝送サブフレーム数を設定することができ、当該ＥＣＣＥアグリゲーションレベル及び重複伝送サブフレーム数に対応する１つのＥＰＤＣＣＨ ｃａｎｄｉｄａｔｅ（即ち、図３または図４における当該ＥＣＣＥアグリゲーションレベル及び重複伝送サブフレーム数に対応する異なる充填方式充填の領域）を占有して伝送することにより、同一のカバレッジ・エンハンスメント・レベルの異なる端末のＭｓｇ４のスケジューリングシグナリングの多重化伝送を、サポートする。端末は、自分のＴＣ−ＲＮＴＩによりスクランブリングされたＥＰＤＣＣＨが自分のＥＣＣＥアグリゲーションレベルまたは重複伝送サブフレーム数に対応する候補ＥＰＤＣＣＨ領域中のどちらの部分において伝送するのかを知らず、自分のＴＣ−ＲＮＴＩ及びＥＰＤＣＣＨに対応するアグリゲーションレベル及び重複伝送サブフレーム数により、図３または図４における端末のＥＣＣＥアグリゲーションレベル及び重複伝送サブフレーム数に対応する異なる充填方式で充填した候補ＥＰＤＣＣＨ位置において、自分のＥＰＤＣＣＨをブラインド検出する必要がある。例えば、カバレッジ・エンハンスメント・レベル１の場合、端末１がＴＣ−ＲＮＴＩ-１に対応し、端末２がＴＣ−ＲＮＴＩ-２に対応し、端末３がＴＣ−ＲＮＴＩ-３に対応し、コモンサーチスペース１を多重利用する。この場合、図３に示すTDM多重か方式で、端末１、２、３ともに、以下のように設定される。ＥＰＤＣＣＨの重複回数を４個のサブフレームとし、２４個のＥＣＣＥを占有するように設定する。基地局は、端末１、２、３のＴＣ−ＲＮＴＩによりスクランブリングされたＥＰＤＣＣＨそれぞれを、コモンサーチスペース１における図３の２４個のＥＣＣＥアグリゲーションレベル及び数が４つの重複伝送サブフレームに対応する異なる充填方式充填の領域（即ち、図３弐おける上の図の４つの異なる充填領域）のうちのいずれの３つにまっピンクすることができる。しかし、端末は、自分ＥＰＤＣＣＨの位置を知らず、図３における２４個のＥＣＣＥアグリゲーションレベル及び数が４つの重複伝送サブフレームに対応する４つの異なる充填方式充填の領域において、自分ＴＣ−ＲＮＴＩにより、対応の自分のＥＰＤＣＣＨをブラインド検出する必要がある。または、図４に示すＦＤＭ多重化方式により、端末１、２、３ともに、ＥＰＤＣＣＨの重複回数が１６個のサブフレーム、６個のＥＣＣＥを占有するように設定されれば、基地局は、端末１、２、３のＴＣ−ＲＮＴＩによりスクランブリングされたＥＰＤＣＣＨそれぞれを、コモンサーチスペース１における図４の６個のＥＣＣＥのアグリゲーションレベル及び数が重複伝送サブフレームに対応する４つの異なる色の領域のうちのいずれの３つにマッピングすることができる（図４の上の図における４つ��異なる充填領域）。しかし、端末は、自分ＥＰＤＣＣＨ位置を知らず、図４における６個のＥＣＣＥのアグリゲーションレベル及び数が１６の重複伝送サブフレームに対応する４つの異なる充填方式充填の領域において、自分ＴＣ−ＲＮＴＩにより、対応の自分のＥＰＤＣＣＨをブラインド検出する必要がある。ノーマルカバレッジ及びカバレッジエンハンスメントが０ｄＢより大きい異なるカバレッジ・エンハンスメント・レベルの端末のＴＣ−ＲＮＴＩによりスクランブリングされたＥＰＤＣＣＨの伝送周波数領域リソースは、お互いに自分のＲＡ−ＲＮし、かつオーバーラップしないため、ノーマルカバレッジ及びカバレッジエンハンスメントが０ｄＢより大きい異なるカバレッジ・エンハンスメント・レベルの端末のＴＣ−ＲＮＴＩによりスクランブリングされたＥＰＤＣＣＨが伝送時間においてオーバーラップしても、リソースが衝突しない。異なるカバレッジ状況のコモンサーチスペースへの設定方式は、本発明に係る例に限られず、コモンサーチスペース位置の変更、または、異なるカバレッジ状況の同一のコモンサーチスペースの多重化方式の変更、または、異なるカバレッジ状況で完全自分のＲＡ−ＲＮなコモンサーチスペースの様な設定は、全部本発明に含まれる。
【００９３】
よって、ネットワーク側において、図６に示すように、本発明の実施例に係るランダムアクセス応答の伝送方法歯、以下のステップを備える。
【００９４】
Ｓ１０１、ネットワークは、少なくとも物理ダウンリンク制御チャネルに対応するカバレッジ・エンハンスメント・レベルに基づき、前記物理ダウンリンク制御チャネルの周波数領域リソースを確定する。ここで、異なるカバレッジ・エンハンスメント・レベルを有する物理ダウンリンク制御チャネルの周波数領域リソースは、独立に設定される。
【００９５】
Ｓ１０２、前記ネットワーク側は、前記物理ダウンリンク制御チャネルの周波数領域リソースにおいて、前記物理ダウンリンク制御チャネルを送信する。
【００９６】
オプションとして、前記ネットワークは、少なくとも物理ダウンリンク制御チャネルに対応するカバレッジ・エンハンスメント・レベルに基づき、前記物理ダウンリンク制御チャネルの周波数領域リソースを確定する前、当該方法は、前記ネットワーク側は、異なるカバレッジ・エンハンスメント・レベルを有する物理ダウンリンク制御チャネルの周波数領域リソースをそれぞれに確定し、異なるカバレッジ・エンハンスメント・レベルを有する物理ダウンリンク制御チャネルの周波数領域リソースを端末に独立に通知するステップをさらに備える。
【００９７】
オプションとして、前記カバレッジ・エンハンスメント・レベルに対応する物理ランダムアクセスチャネル（ＰＲＡＣＨ）が同一のサブフレームにおいて複数の利用可能周波数領域リソースを有すれば、前記ネットワーク側は、前記ＰＲＡＣＨ伝送に用いられる周波数領域リソースに基づき、前記物理ダウンリンク制御チャネルの周波数領域リソースを確定する。ここで、前記ＰＲＡＣＨの、同一のサブフレームにおける異なるＰＲＡＣＨ周波数領域リソースに対応する物理ダウンリンク制御チャネルの周波数領域リソースは、独立に設定される。例えば、同一のカバレッジ・エンハンスメント・レベルの場合、ＰＲＡＣＨは、同一のサブフレームにおいて２つまたは、２つ以上のＰＲＡＣＨ周波数領域リソースを設定した。端末は、そのうちの１つの伝送ＰＲＡＣＨをランダムを選択することができる。前記カバレッジ・エンハンスメント・レベル場合の異なる端末は、同様なサブフレームから異なるＰＲＡＣＨ周波数領域リソースを選択して、ＰＲＡＣＨを同時に伝送することができる。これらの端末のＰＲＡＣＨ重複伝送サブフレームが同様であり、同様なＭｓｇ１及びＭｓｇ２タイミング関係により、これらの端末のＭｓｇ２も同時に伝送伝送される。また、Ｍｓｇ４も同時に伝送される。これらの端末のＭｓｇ２/Ｍｓｇ４リソースが共有されれば、リソースが衝突されて、一部の端末がＭｓｇ２/Ｍｓｇ４伝送に利用できるリソースを有さない。よって、ＰＲＡＣＨの、同一のサブフレームにおける複数の周波数領域リソースも、複数の異なる物理ダウンリンク制御チャネルの周波数領域リソースとするように設定することにより、端末１がＰＲＡＣＨの周波数領域リソース１を選択して伝送する場合、ＲＡＲの物理ダウンリンク制御チャネル及び/またはスケジューリングＭｓｇ４の物理ダウンリンク制御チャネルをスケジューリングして、対応のＰＲＡＣＨ周波数領域リソース１の物理ダウンリンク制御チャネル周波数領域リソース１において伝送するようにする。端末２がＰＲＡＣＨの周波数領域リソース２を選択して伝送する場合、ＲＡＲ的物理ダウンリンク制御チャネル及び/またはスケジューリングＭｓｇ４の物理ダウンリンク制御チャネルをスケジューリングして、対応のＰＲＡＣＨ周波数領域リソース２の物理ダウンリンク制御チャネル周波数領域リソース２において伝送し、これによって類推する。こうして、同様なサブフレームにおいて伝送する異なる端末的物理ダウンリンク制御チャネルが異なる周波数領域リソースにおいて伝送されることを確保でき、衝突を防ぐことができる。
【００９８】
つまり、当該物理ダウンリンク制御チャネル及びＰＲＡＣＨが同一の端末に対応し、同様なカバレッジ・エンハンスメント・レベルに対応する。例えば、当該ＰＲＡＣＨが当該端末のＭｓｇ１プロシージャであり、即ち、ｐｒｅａｍｂｌｅシーケンスを送信するプロシージャである。当該物理ダウンリンク制御チャネルは、当該端末のＭｓｇ２プロシージャ（即ち、ＲＡＲメッセージ伝送）中のＭｓｇ２をスケジューリングする物理ダウンリンク制御チャネルであるか、当該端末のＭｓｇ４プロシージャ（即ち、競合解決メッセージ伝送）中のＭｓｇ２をスケジューリングする物理ダウンリンク制御チャネルであり、これは、当該物理ダウンリンク制御チャネルの重複伝送回数が当該ＰＲＡＣＨと必ず同様にするわけではなく、重複伝送回数は独立に確定されたものであるが、カバレッジ・エンハンスメント・レベルと関連する。
【００９９】
オプションとして、前記ネットワーク側が前記物理ダウンリンク制御チャネルの周波数領域リソースを確定する前、前記方法は、それぞれのカバレッジ・エンハンスメント・レベルに対し、前記ネットワーク側は、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知するステップをさらに備える。
【０１００】
オプションとして、システム情報により、前記物理ダウンリンク制御チャネルの周波数領域リソースを端末に独立に通知する。以下例を挙げて説明する。
【０１０１】
＜状況１＞ネットワーク側が、異なるカバレッジ・エンハンスメント・レベルを有する物理ダウンリンク制御チャネルの周波数領域リソースをそれぞれに確定し、異なるカバレッジ・エンハンスメント・レベルを有する物理ダウンリンク制御チャネルの周波数領域リソースを端末に独立に通知する場合、ネットワーク側は、異なるカバレッジ・エンハンスメント・レベルを有する物理ダウンリンク制御チャネルと対応の周波数領域リソースの対応関係（例えば、テーブル）を通知する。物理ダウンリンク制御チャネルに対応する各々カバレッジ・エンハンスメント・レベルに対し、それぞれＮビット情報で対応する周波数領域リソースを通知する。
【０１０２】
＜状況２＞それぞれのカバレッジ・エンハンスメント・レベルに対し、前記ネットワーク側が、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知する場合、ネットワーク側は、各々カバレッジ・エンハンスメント・レベル場合のＰＲＡＣＨの複数の周波数領域リソースと与物理ダウンリンク制御チャネルの周波数領域リソースの各々対応関係（例えば、テーブル）を通知する。または、各々カバレッジ・エンハンスメント・レベルに対し、それぞれＮビット情報で、前記カバレッジ・エンハンスメント・レベル場合のＰＲＡＣＨの各々周波数領域リソースに対応する物理ダウンリンク制御チャネルの周波数領域リソースを通知する。
【０１０３】
上述の状況１及び状況２を組み合わせれば、異なるカバレッジ・エンハンスメント・レベル及び各々レベル場合の異なるＰＲＡＣＨ周波数領域リソースは、１つの物理ダウンリンク制御チャネルの周波数領域リソースに対応する。
【０１０４】
オプションとして、前記カバレッジ・エンハンスメント・レベルは、カバレッジエンハンスメントｄＢ数及び/または重複伝送回数を示す。前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【０１０５】
オプションとして、前記ネットワーク側が、前記物理ダウンリンク制御チャネルの周波数領域リソースにおいて、前記物理ダウンリンク制御チャネルを送信することは、具体的に、前記ネットワーク側は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信する。
【０１０６】
オプションとして、前記物理ダウンリンク制御チャネルは、コモンサーチスペースにおいて伝送され、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングする。
【０１０７】
言い換えると、ＲＡ−ＲＮＴＩスクランブリングは、即ち、ランダムアクセス・プロシージャ中のＭｓｇ２ ＲＡＲメッセージ伝送に対応し、前記ＲＡＲメッセージのスケジューリング情報を搬送する。ＴＣ−ＲＮＴＩまたはＣ−ＲＮＴＩスクランブリングは、ランダムアクセス・プロシージャ中のＭｓｇ４競合解決メッセージ伝送に対応し、当該競合解決メッセージのスケジューリング情報を搬送する。
【０１０８】
オプションとして、前記物理ダウンリンク制御チャネルの周波数領域リソースは、前記物理ダウンリンク制御チャネル伝送が行われる狭帯域情報及び/またはエンハンスメント制御チャネルエレメント（ＥＣＣＥ）番号情報を含むか、または、前記物理ダウンリンク制御チャネル伝送が行われるコモンサーチスペースを含む。１実施態様として、ＲＡ−ＲＮＴＩによりスクランブリングされた物理ダウンリンク制御チャネルに対し、狭帯域情報及び/またはＥＣＣＥ番号を設定し、ＴＣ−ＲＮＴＩまたはＣ−ＲＮＴＩによりスクランブリングされた物理ダウンリンク制御チャネルに対し、コモンサーチスペースを設定する。
【０１０９】
また、端末側において、図７に示すように、本発明の実施例に係るランダムアクセス応答の伝送方法は、以下のステップを備える。
【０１１０】
Ｓ２０１、端末は、少なくとも物理ダウンリンク制御チャネルに対応するカバレッジ・エンハンスメント・レベルに基づき、前記物理ダウンリンク制御チャネルの周波数領域リソースを確定する。異なるカバレッジ・エンハンスメント・レベルを有する物理ダウンリンク制御チャネルの周波数領域リソースは、独立に設定される。
【０１１１】
Ｓ２０２、前記端末は、前記物理ダウンリンク制御チャネルの周波数領域リソースにおいて、前記物理ダウンリンク制御チャネルを受信する。
【０１１２】
オプションとして、前記端末が、少なくとも物理ダウンリンク制御チャネルに対応するカバレッジ・エンハンスメント・レベルに基づき、前記物理ダウンリンク制御チャネルの周波数領域リソースを確定する前、異なるカバレッジ・エンハンスメント・レベルを有する物理ダウンリンク制御チャネルの周波数領域リソースを独立に示す設定情報を取得し、前記設定情報に基づき、異なるカバレッジ・エンハンスメント・レベルを有する物理ダウンリンク制御チャネルの周波数領域リソースを取得するステップをさらに備える。
【０１１３】
オプションとして、前記カバレッジ・エンハンスメント・レベルに対応するＰＲＡＣＨが、同一のサブフレームにおいて複数の利用可能周波数領域リソースを有すれば、前記端末は、前記端末のＰＲＡＣＨ伝送に用いられる周波数領域リソースに基づき、前記物理ダウンリンク制御チャネルの周波数領域リソースを確定する。前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。
【０１１４】
オプションとして、前記端末が前記端末のＰＲＡＣＨ伝送に用いられる周波数領域リソースに基づき、前記物理ダウンリンク制御チャネルの周波数領域リソースを確定する前、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得するステップをさらに備える。
【０１１５】
オプションとして、システム情報により、前記物理ダウンリンク制御チャネルの周波数領域リソースを示す設定情報を取得する。
【０１１６】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【０１１７】
オプションとして、前記端末が、前記物理ダウンリンク制御チャネルの周波数領域リソースにおいて、前記物理ダウンリンク制御チャネルを受信するステップは、具体的に、前記端末は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信する。
【０１１８】
オプションとして、前記物理ダウンリンク制御チャネルは、コモンサーチスペースにおいて伝送され、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされる。
【０１１９】
オプションとして、前記物理ダウンリンク制御チャネルの周波数領域リソースは、前記物理ダウンリンク制御チャネル伝送が行われる狭帯域情報及び/またはエンハンスメント制御チャネルエレメント（ＥＣＣＥ）番号情報を含むか、または、前記物理ダウンリンク制御チャネル伝送が行われるコモンサーチスペースを含む。
【０１２０】
上述のネットワーク側の方法に応じて、図８示すように、ネットワーク側において、本発明の実施例に係るランダムアクセス応答の伝送装置は、
少なくとも物理ダウンリンク制御チャネルに対応するカバレッジ・エンハンスメント・レベルに基づいて、前記物理ダウンリンク制御チャネルの周波数領域リソースを確定する周波数領域リソース確定ユニット１１と、前記物理ダウンリンク制御チャネルの周波数領域リソースにおいて、前記物理ダウンリンク制御チャネルを送信する送信ユニット１２とを備える。ここで、異なるカバレッジ・エンハンスメント・レベルを有する物理ダウンリンク制御チャネルの周波数領域リソースは、独立に設定される。
【０１２１】
オプションとして、前記周波数領域リソース確定ユニットは、少なくとも物理ダウンリンク制御チャネルに対応するカバレッジ・エンハンスメント・レベルに基づいて、前記物理ダウンリンク制御チャネルの周波数領域リソースを確定する前、異なるカバレッジ・エンハンスメント・レベルを有する物理ダウンリンク制御チャネルの周波数領域リソースそれぞれを確定し、異なるカバレッジ・エンハンスメント・レベルを有する物理ダウンリンク制御チャネルの周波数領域リソースを端末に独立に通知する。
【０１２２】
オプションとして、前記カバレッジ・エンハンスメント・レベルに対応する物理ランダムアクセスチャネル（ＰＲＡＣＨ）が同一のサブフレームにおいて複数の利用可能周波数領域リソースを有すれば、前記周波数領域リソース確定ユニットは、前記ＰＲＡＣＨ伝送に用いられる周波数領域リソースに基づき、前記物理ダウンリンク制御チャネルの周波数領域リソースを確定する。ここで、前記ＰＲＡＣＨの、同一のサブフレームにおける異なるＰＲＡＣＨ周波数領域リソースに対応する物理ダウンリンク制御チャネルの周波数領域リソースは、独立に設定される。
【０１２３】
オプションとして、前記周波数領域リソース確定ユニットは、前記物理ダウンリンク制御チャネルの周波数領域リソースを確定する前、それぞれのカバレッジ・エンハンスメント・レベルに対し、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを端末に独立に通知する。
【０１２４】
オプションとして、前記周波数領域リソース確定ユニットは、システム情報により、前記物理ダウンリンク制御チャネルの周波数領域リソースを端末に独立に通知する。
【０１２５】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【０１２６】
オプションとして、前記送信ユニットは、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信する。
【０１２７】
オプションとして、前記送信ユニットは、コモンサーチスペースにおいて、前記物理ダウンリンク制御チャネルを伝送し、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングする。
【０１２８】
オプションとして、前記物理ダウンリンク制御チャネルの周波数領域リソースは、前記物理ダウンリンク制御チャネル伝送が行われる狭帯域情報及び/またはエンハンスメント制御チャネルエレメント（ＥＣＣＥ）番号情報を含むか、または、前記物理ダウンリンク制御チャネル伝送が行われるコモンサーチスペースを含む。
【０１２９】
上述の端末側の方法に応じて、図９に示すように、端末側において、本発明の実施例に係るランダムアクセス応答の伝送装置は、少なくとも物理ダウンリンク制御チャネルに対応するカバレッジ・エンハンスメント・レベルに基づいて、前記物理ダウンリンク制御チャネルの周波数領域リソースを確定する周波数領域リソース確定ユニット２１と、前記物理ダウンリンク制御チャネルの周波数領域リソースにおいて前記物理ダウンリンク制御チャネルを受信する受信ユニット２２とを備える。ここで、異なるカバレッジ・エンハンスメント・レベルを有する物理ダウンリンク制御チャネルの周波数領域リソースは、独立に設定される。
【０１３０】
オプションとして、前記周波数領域リソース確定ユニットは、少なくとも物理ダウンリンク制御チャネルに対応するカバレッジ・エンハンスメント・レベルに基づいて、前記物理ダウンリンク制御チャネルの周波数領域リソースを確定する前、異なるカバレッジ・エンハンスメント・レベルを有する物理ダウンリンク制御チャネルの周波数領域リソースを独立に示す設定情報を取得し、前記設定情報に基づき、異なるカバレッジ・エンハンスメント・レベルを有する物理ダウンリンク制御チャネルの周波数領域リソースを取得する。
【０１３１】
オプションとして、前記カバレッジ・エンハンスメント・レベルに対応するＰＲＡＣＨが、同一のサブフレームにおいて複数の利用可能周波数領域リソースを有すれば、前記周波数領域リソース確定ユニットは、前記端末のＰＲＡＣＨ伝送に用いられる周波数領域リソースに基づき、前記物理ダウンリンク制御チャネルの周波数領域リソースを確定する。ここで、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。
【０１３２】
オプションとして、前記周波数領域リソース確定ユニットが、前記端末のＰＲＡＣＨ伝送に用いられる周波数領域リソースに基づき、前記物理ダウンリンク制御チャネルの周波数領域リソースを確定する前、前記周波数領域リソース確定ユニットは、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得する。
【０１３３】
オプションとして、システム情報により、前記物理ダウンリンク制御チャネルの周波数領域リソースを示す設定情報を取得する。
【０１３４】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【０１３５】
オプションとして、前記受信ユニットは、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信する。
【０１３６】
オプションとして、前記物理ダウンリンク制御チャネルは、コモンサーチスペースにおいて伝送され、かつ、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされる。
【０１３７】
オプションとして、前記物理ダウンリンク制御チャネルの周波数領域リソースは、前記物理ダウンリンク制御チャネル伝送が行われる狭帯域情報及び/またはエンハンスメント制御チャネルエレメント（ＥＣＣＥ）番号情報を含むか、または、前記物理ダウンリンク制御チャネル伝送が行われるコモンサーチスペースを含む。
【０１３８】
図１０に示すように、ネットワーク側において、本発明の実施例に係る他のランダムアクセス応答の伝送装置は、例えば、基地局などのネットワーク装置であることができる。前記ランダムアクセス応答の伝送装置は、プロセッサ５００と、プロセッサ５００の制御によりデータを送受信する送受信機５１０とを備える。
【０１３９】
前記プロセッサ５００はメモリ５２０に格納されたプログラムを読み出して、少なくとも物理ダウンリンク制御チャネルに対応するカバレッジ・エンハンスメント・レベルに基づいて、前記物理ダウンリンク制御チャネルの周波数領域リソースを確定する。ここで、異なるカバレッジ・エンハンスメント・レベルを有する物理ダウンリンク制御チャネルの周波数領域リソースは、独立に設定される。
【０１４０】
また、送受信機５１０により、前記物理ダウンリンク制御チャネルの周波数領域リソースにおいて、記物理ダウンリンク制御チャネルを送受信する。
【０１４１】
オプションとして、前記プロセッサ５００は、少なくとも物理ダウンリンク制御チャネルに対応するカバレッジ・エンハンスメント・レベルに基づいて、前記物理ダウンリンク制御チャネルの周波数領域リソースを確定する前、異なるカバレッジ・エンハンスメント・レベルを有する物理ダウンリンク制御チャネルの周波数領域リソースそれぞれを確定し、かつ、送受信機５１０により、異なるカバレッジ・エンハンスメント・レベルを有する物理ダウンリンク制御チャネルの周波数領域リソースを独立に端末に通知する。
【０１４２】
オプションとして、前記カバレッジ・エンハンスメント・レベルに対応する物理ランダムアクセスチャネル（ＰＲＡＣＨ）が同一のサブフレームにおいて複数の利用可能周波数領域リソースを有すれば、前記プロセッサ５００は、前記ＰＲＡＣＨ伝送に用いられる周波数領域リソースに基づき、前記物理ダウンリンク制御チャネルの周波数領域リソースを確定する。前記ＰＲＡＣＨの、同一のサブフレームにおける異なるＰＲＡＣＨ周波数領域リソースに対応する物理ダウンリンク制御チャネルの周波数領域リソースは、独立に設定される。
【０１４３】
オプションとして、前記プロセッサ５００は、前記物理ダウンリンク制御チャネルの周波数領域リソースを確定する前、それぞれのカバレッジ・エンハンスメント・レベルに対し、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを確定し、かつ、送受信機５１０により、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースを独立に端末に通知する。
【０１４４】
オプションとして、前記プロセッサ５００は、システム情報により、前記物理ダウンリンク制御チャネルの周波数領域リソースを端末に独立に通知するように、前記送受信機５１０を制御する。
【０１４５】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【０１４６】
オプションとして、前記プロセッサ５００は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを送信するように、前記送受信機５１０を制御する。
【０１４７】
オプションとして、前記プロセッサ５００は、コモンサーチスペースにおいて前記物理ダウンリンク制御チャネルを伝送し、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いて、前記物理ダウンリンク制御チャネルをスクランブリングするように、前記送受信機５１０を制御する。
【０１４８】
オプションとして、前記物理ダウンリンク制御チャネルの周波数領域リソースは、前記物理ダウンリンク制御チャネル伝送が行われる狭帯域情報及び/またはエンハンスメント制御チャネルエレメント（ＥＣＣＥ）番号情報を含むか、または、前記物理ダウンリンク制御チャネル伝送が行われるコモンサーチスペースを含む。
【０１４９】
図１０において、バスアーキテクチャは、いずれかの数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャ及び通常の処理を監視し、メモリ５２０は、プロセッサ６００が動作する際に利用するデータを記憶することができる。
【０１５０】
図１１に示すように、端末側において、本発明の実施例に係る他のランダムアクセス応答の伝送装置は、例えば、UEであることができる。前記他のランダムアクセス応答の伝送装置プロセッサ６００と、プロセッサ６００の制御によりデータを送受信する送受信機６１０とを備える。
【０１５１】
前記プロセッサ６００は、メモリ６２０に格納されたプログラムを読み出して、少なくとも物理ダウンリンク制御チャネルに対応するカバレッジ・エンハンスメント・レベルに基づいて、前記物理ダウンリンク制御チャネルの周波数領域リソースを確定する。ここで、異なるカバレッジ・エンハンスメント・レベルを有する物理ダウンリンク制御チャネルの周波数領域リソースは、独立に設定される。
【０１５２】
また、送受信機６１０により、前記物理ダウンリンク制御チャネルの周波数領域リソースにおいて前記物理ダウンリンク制御チャネルを受信する。
【０１５３】
オプションとして、前記プロセッサ６００は、少なくとも物理ダウンリンク制御チャネルに対応するカバレッジ・エンハンスメント・レベルに基づいて、前記物理ダウンリンク制御チャネルの周波数領域リソースを確定する前、異なるカバレッジ・エンハンスメント・レベルを有する物理ダウンリンク制御チャネルの周波数領域リソースを独立に示す設定情報を取得し、前記設定情報に基づき、異なるカバレッジ・エンハンスメント・レベルを有する物理ダウンリンク制御チャネルの周波数領域リソースを取得する。
【０１５４】
オプションとして、前記カバレッジ・エンハンスメント・レベルに対応するＰＲＡＣＨが、同一のサブフレームにおいて複数の利用可能周波数領域リソースを有すれば、前記プロセッサ６００は、前記端末のＰＲＡＣＨ伝送に用いられる周波数領域リソースに基づき、前記物理ダウンリンク制御チャネルの周波数領域リソースを確定する。ここで、前記カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースは、独立に設定される。
【０１５５】
オプションとして、前記プロセッサ６００は、前記端末のＰＲＡＣＨ伝送に用いられる周波数領域リソースに基づき、前記物理ダウンリンク制御チャネルの周波数領域リソースを確定する前、前記周波数領域リソース確定ユニットは、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを独立に示す設定情報を取得し、前記設定情報に基づき、カバレッジ・エンハンスメント・レベルに対応するＰＲＡＣＨの、同一のサブフレームにおける異なるＰＲＡＣＨ周波数領域リソースに対応する物理ダウンリンク制御チャネルの周波数領域リソースそれぞれを取得する。
【０１５６】
オプションとして、前記プロセッサ６００は、システム情報により、前記物理ダウンリンク制御チャネルの周波数領域リソースを示す設定情報を取得するように、送受信機６１０を制御する。
【０１５７】
オプションとして、前記カバレッジ・エンハンスメント・レベルは、カバレッジエンハンスメントｄＢ数及び/または重複伝送回数を示す。ここで、前記カバレッジ・エンハンスメント・レベルは、カバレッジエンハンスメントが０ｄＢである及び/または重複伝送しないノーマルカバレッジ、及びカバレッジエンハンスメントが０ｄＢより大きい及び/または重複伝送回数が１より大きい複数の異なるカバレッジ・エンハンスメント・レベルを含み、または、前記カバレッジ・エンハンスメント・レベルは、カバレッジエンハンスメントが０ｄＢより大きい及び/または重複伝送回数が１より大きい複数の異なるカバレッジ・エンハンスメント・レベルのみを含む。
【０１５８】
オプションとして、前記プロセッサ６００は、前記物理ダウンリンク制御チャネルの周波数領域リソースにおいて、エンハンスト物理ダウンリンク制御チャネル（ＥＰＤＣＣＨ）方式で前記物理ダウンリンク制御チャネルを受信するように、送受信機６１０を制御する。
【０１５９】
オプションとして、前記物理ダウンリンク制御チャネルは、コモンサーチスペースにおいて伝送され、かつ、ランダムアクセス無線ネットワーク臨時識別子（ＲＡ−ＲＮＴＩ）や、臨時セル無線ネットワーク臨時識別子（ＴＣ−ＲＮＴＩ）や、セル無線ネットワーク臨時識別子（Ｃ−ＲＮＴＩ）を用いてスクランブリングされる。
【０１６０】
オプションとして、前記物理ダウンリンク制御チャネルの周波数領域リソースは、前記物理ダウンリンク制御チャネル伝送が行われる狭帯域情報及び/またはエンハンスメント制御チャネルエレメント（ＥＣＣＥ）番号情報を含むか、または、前記物理ダウンリンク制御チャネル伝送が行われるコモンサーチスペースを含む。
【０１６１】
図１１において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１６２】
プロセッサ６００は、バスアーキテクチャ及び通常の処理を監視し、メモリ６２０は、プロセッサ６００が動作する際に利用するデータを記憶することができる。
【０１６３】
よって、本発明に係る実施例がランダムアクセス応答伝送方法及び装置を提供し、ＦＤＭ方式でＲＡ−ＲＮＴＩによりスクランブリングされたダウンリンク制御チャネル(ノーマルカバレッジ及び異なるカバレッジ・エンハンスメント・レベルまたは異なるカバレッジ・エンハンスメント・レベルで、ランダムアクセス応答をスケジューリングする)を伝送することにより、ノーマルカバレッジと異なるカバレッジ・エンハンスメント・レベルの間のリソース衝突を避けるか、または、異なるカバレッジ・エンハンスメント・レベルの間のリソース衝突を避け、異なるカバレッジ・エンハンスメント・レベルのランダムアクセス応答が独立に伝送されることが確保され、ダウンリンク制御チャネルに対するブラインド検出を低減し、電力の利用率を向上することができる。
【０１６４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１６５】
本出願は、２０１５年８月１４日に中国特許局に提出し、出願番号が２０１５１０５０２９６２.１であり、発明名称が「ランダムアクセス応答の伝送方法及び装置」との中国特許出願を基礎とする優先権を主張し、その開示の総てをここに取り込む。
【符号の説明】
【０１６６】
１１  周波数領域リソース確定ユニット
１２  送信ユニット
２１  周波数領域リソース確定ユニット
２２  受信ユニット
５００  プロセッサ
５１０  送受信機
５２０  メモリ
６００  プロセッサ
６１０  送受信機
６２０  メモリ
６３０  ユーザーインターフェース
【図１】
0006618060.tif 000002
【図２】
0006618060.tif 000003
【図３】
0006618060.tif 000004
【図４】
0006618060.tif 000005
【図５】
0006618060.tif 000006
【図６】
0006618060.tif 000007
【図７】
0006618060.tif 000008
【図８】
0006618060.tif 000009
【図９】
0006618060.tif 000010
【図１０】
0006618060.tif 000011
【図１１】
0006618060.tif 000012